(57)【要約】  本開示は、送信装置、受信装置、送信方法、および受信方法に関する。送信装置は、動作時に、データおよび／または参照信号を、通信システムのリソース上にマッピングする回路を、備えている。リソースは、第１のヌメロロジおよび第２のヌメロロジを含み、第１のヌメロロジと第２のヌメロロジとは、少なくともサブキャリア間隔について異なる。第１および第２のヌメロロジのサブキャリアは、サブキャリア単位で周波数多重化される。送信装置は、動作時に、マッピングされた参照信号および／またはデータを送信する送信機を、さらに備えている。ここで、回路は、動作時に、第１のヌメロロジのサブキャリアと第２のヌメロロジのサブキャリアとの間に位置する少なくとも１つのサブキャリアに、送信電力を割り当てない。【選択図】  図４
2020515115.tif 000002
【特許請求の範囲】
【請求項１】
動作時に、データおよび／または参照信号を、通信システムのリソース上にマッピングする回路であって、前記リソースは、第１のヌメロロジのサブキャリアと第２のヌメロロジのサブキャリアを含み、前記第１のヌメロロジと前記第２のヌメロロジとは、少なくともサブキャリア間隔について異なっており、前記第１および第２のヌメロロジのサブキャリアは、サブキャリア単位で周波数多重化される、回路と、
動作時に、マッピングされた前記参照信号および／またはデータを送信する送信機と、を備え、
前記回路は、動作時に、前記第１のヌメロロジのサブキャリアと前記第２のヌメロロジのサブキャリアとの間に位置する少なくとも１つのサブキャリアに、送信電力を割り当てない、
送信装置。
【請求項２】
前記回路は、動作時に、前記データを、前記第１および第２のヌメロロジの一方の前記サブキャリアにマッピングし、
前記参照信号を、前記第１および第２のヌメロロジの他方にマッピングする、
請求項１に記載の送信装置。
【請求項３】
前記第１のヌメロロジの複数の前記サブキャリアは、互いに直交し、
前記第２のヌメロロジの複数の前記サブキャリアは、
ヌメロロジ間直交サブキャリアであって、前記サブキャリアの各々は、前記第１のヌメロロジのサブキャリアに対して中央にアラインされた、ヌメロロジ間直交サブキャリアと、
前記第１のヌメロロジのいずれのサブキャリアに対しても中央にアラインされず、前記第１のヌメロロジの２つの隣接サブキャリア間に位置する、非ヌメロロジ間直交サブキャリアと、
を備え、
前記回路は、動作時に、前記非ヌメロロジ間直交サブキャリアの少なくとも１つに、送信電力を割り当てない、
請求項１または２に記載の送信装置。
【請求項４】
前記回路は、動作時に、前記参照信号を、前記第１のヌメロロジのサブキャリアに、かつ／または前記第２のヌメロロジのヌメロロジ間直交サブキャリアに割り当てる、
請求項３に記載の送信装置。
【請求項５】
前記回路は、動作時に、前記第１のヌメロロジの前記２つの隣接サブキャリア間の前記非ヌメロロジ間直交サブキャリアのいずれにも、送信電力を割り当てない、
請求項３または４に記載の送信装置。
【請求項６】
前記リソースは、時間領域内のシンボルを含み、前記回路は、動作時に、参照信号を、複数の後続のシンボルに割り当てる、
請求項３〜５のいずれか一項に記載の送信装置。
【請求項７】
前記参照信号は、ゼロパワー参照信号である、
請求項１〜６のいずれか一項に記載の送信装置。
【請求項８】
前記回路は、動作時に、前記ヌメロロジ間直交サブキャリアの少なくとも１つに、送信電力を割り当てる、
請求項３または４に記載の送信装置。
【請求項９】
前記回路は、前記ヌメロロジにおける最も広いサブキャリア間隔の２つの隣接サブキャリア間に位置するどのサブキャリアにも、送信電力を割り当てない、
請求項１〜８のいずれか一項に記載の送信装置。
【請求項１０】
前記通信システムは、セルラーシステムであり、前記送信装置は、第１のセルとなり、
前記回路は、動作時に、第２のセルが対応しており、かつ／または少なくとも１つのヌメロロジにおける送信電力が割り当てられないリソースエレメントの構成を示す前記少なくとも１つのヌメロロジを示す第２のセル構成情報を、受信する、
請求項１〜９のいずれか一項に記載の送信装置。
【請求項１１】
動作中の前記回路は、受信した前記第２のセル構成情報に対応させて、前記少なくとも１つのサブキャリアに送信電力を割り当てない前記割り当てを適応させる、
請求項１０に記載の送信装置。
【請求項１２】
前記回路は、動作時に、送信電力が割り当てられない少なくとも１つのサブキャリアがどれかを示す制御情報を生成し、
前記送信機は、動作時に、生成された前記制御情報を送信する、
請求項１〜１１のいずれか一項に記載の送信装置。
【請求項１３】
前記制御情報は、送信電力が割り当てられていないか、または前記参照信号が割り当てられているか、または非ゼロパワーが割り当てられうる、少なくとも１つのサブキャリアを特定する、
請求項１２に記載の送信装置。
【請求項１４】
前記送信機は、前記制御情報、特にシステム情報を、半静的シグナリングによって送信する、
請求項１２または１３に記載の送信装置。
【請求項１５】
前記制御情報は、ヌメロロジのための特定のゼロパワー構成のアクティブ化または非アクティブ化を示す動的シグナリングにより、送信される、
請求項１２または１３に記載の送信装置。
【請求項１６】
動作時に、通信システムのリソースにおけるデータおよび／または参照信号を受信する受信機と、
動作時に、データおよび／または参照信号を、第１のヌメロロジのサブキャリアと第２のヌメロロジのサブキャリアとを含むリソースからデマッピングする回路とを備え、前記第１のヌメロロジと前記第２のヌメロロジとは、少なくともサブキャリア間隔について異なっており、前記第１および第２のヌメロロジの前記サブキャリアは、サブキャリア単位で周波数多重化され、
前記受信機は、動作時に、制御情報を受信して、どのサブキャリアに送信電力が割り当てられていないかを導出し、前記第１のヌメロロジのサブキャリアと前記第２のヌメロロジのサブキャリアとの間に位置する少なくとも１つのサブキャリアに送信電力が割り当てられない、
受信装置。
【請求項１７】
前記第１のヌメロロジの複数の前記サブキャリアは、互いに直交し、
前記第２のヌメロロジの複数の前記サブキャリアは、
ヌメロロジ間直交サブキャリアであって、前記サブキャリアの各々は、前記第１のヌメロロジのサブキャリアに対して中央にアラインされた、ヌメロロジ間直交サブキャリアと、
前記第１のヌメロロジのいずれのサブキャリアに対しても中央にアラインされず、前記第１のヌメロロジの２つの隣接サブキャリア間に位置する、非ヌメロロジ間直交サブキャリアと、
を備え、
前記非ヌメロロジ間直交サブキャリアの少なくとも１つに、送信電力が割り当てられていない、
請求項１６に記載の受信装置。
【請求項１８】
前記参照信号が、前記第１のヌメロロジのサブキャリアに、かつ／または前記第２のヌメロロジのヌメロロジ間直交サブキャリアに割り当てられ、
前記回路は、動作時に、前記参照信号に基づき、チャネル測定を行う、
請求項１７に記載の受信装置。
【請求項１９】
送信装置により実行される送信方法であって、
データおよび／または参照信号を、通信システムのリソース上にマッピングするステップであって、前記リソースは、第１のヌメロロジのサブキャリアと第２のヌメロロジのサブキャリアとを含み、前記第１のヌメロロジと前記第２のヌメロロジとは、少なくともサブキャリア間隔について異なっており、前記第１および第２のヌメロロジのサブキャリアは、サブキャリア単位で周波数多重化される、ステップと、
マッピングされた前記参照信号および／またはデータを送信するステップと、
を含み、
前記データおよび／または参照信号を前記リソース上に送信する前記ステップでは、前記第１のヌメロロジのサブキャリアと前記第２のヌメロロジのサブキャリアとの間に位置する少なくとも１つのサブキャリアに、送信電力が割り当てられない、
送信方法。
【請求項２０】
受信装置により実行される受信方法であって、
通信システムのリソースにおけるデータおよび／または参照信号を受信するステップと、
データおよび／または参照信号を、第１のヌメロロジのサブキャリアと第２のヌメロロジのサブキャリアとを含むリソースからデマッピングするステップとを含み、前記第１のヌメロロジと前記第２のヌメロロジとは、少なくともサブキャリア間隔について異なっており、前記第１および第２のヌメロロジの前記サブキャリアは、サブキャリア単位で周波数多重化され、
データおよび／または参照信号を受信する前記ステップでは、制御情報を受信して、どのサブキャリアに送信電力が割り当てられていないかを導出し、前記第１のヌメロロジのサブキャリアと前記第２のヌメロロジのサブキャリアとの間に位置する少なくとも１つのサブキャリアに送信電力が割り当てられない、
受信方法。
【発明の詳細な説明】
【技術分野】
【０００１】
本開示は、様々なサブキャリア間隔（ｓｕｂｃａｒｒｉｅｒ  ｓｐａｃｉｎｇ）のサブキャリアを含む通信システムのリソースにおけるデータおよび／または参照信号の送受信に関する。
【背景技術】
【０００２】
現在、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、第５世代（５Ｇ）とも称する、次世代携帯電話技術のための技術仕様の次期リリース（リリース１５）に取り組んでいる。３ＧＰＰ技術仕様グループ（ＴＳＧ：Ｔｅｃｈｎｉｃａｌ  Ｓｐｅｃｉｆｉｃａｔｉｏｎ  Ｇｒｏｕｐ）無線アクセスネットワーク（ＲＡＮ：Ｒａｄｉｏ  Ａｃｃｅｓｓ  ｎｅｔｗｏｒｋ）会合＃７１（ヨーテボリ、２０１６年３月）では、ＲＡＮ１、ＲＡＮ２、ＲＡＮ３およびＲＡＮ４を含む最初の５Ｇ検討項目である「新しい無線アクセス技術」が承認され、最初の５Ｇ規格を定義するリリース１５の作業項目になることが予想されている。
【０００３】
５Ｇ  ＮＲの目的の１つは、非特許文献１（ｗｗｗ．３ｇｐｐ．ｏｒｇにて入手可能であり、ここに参照によりその全体が組み込まれる）に定義され、拡張モバイルブロードバンド（ｅＭＢＢ：ｅｎｈａｎｃｅｄ  ｍｏｂｉｌｅ  ｂｒｏａｄｂａｎｄ）、超高信頼性低レイテンシ通信（ＵＲＬＬＣ：ｕｌｔｒａ−ｒｅｌｉａｂｌｅ  ｌｏｗ−ｌａｔｅｎｃｙ  ｃｏｍｍｕｎｉｃａｔｉｏｎｓ）、超大量端末通信（ｍＭＴＣ：ｍａｓｓｉｖｅ  ｍａｃｈｉｎｅ  ｔｙｐｅ  ｃｏｍｍｕｎｉｃａｔｉｏｎ）を少なくとも含む、全ての使用シナリオ、要件、および開発シナリオに対処する単一の技術フレームワークを、提供することにある。例えば、ｅＭＢＢ配備シナリオは、屋内ホットスポット、密集都市部、ルーラル（ｒｕｒａｌ）、都市部（ｕｒｂａｎ  ｍａｃｒｏ）および高速を含んでもよく、ＵＲＬＬＣ配備シナリオは、産業制御システム、巡回医療（遠隔監視、診断および治療）、車両実時間管理、スマートグリッドの広域監視および制御システムを含んでもよく、ｍＭＴＣは、高機能装着機器（ｓｍａｒｔ  ｗｅａｒａｂｌｅｓ）およびセンサネットワークなど、転送が緊急ではない多数のデバイスを含んでもよい。
【０００４】
他の目的として、前方互換がある。Ｌｏｎｇ  Ｔｅｒｍ  Ｅｖｏｌｕｔｉｏｎ（ＬＴＥ）への後方互換性が必要とされないので、完全に新規のシステム設計および／または新奇の特徴の導入が促進される。
【０００５】
ＮＲ検討項目についての一技術レポート（非特許文献２）に要約されているように、基礎的物理レイヤ信号波形は、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に基づく。ダウンリンクおよびアップリンクの双方について、波形に基づくサイクリックプレフィックスのＯＦＤＭ（ＣＰ−ＯＦＤＭ）に対応している。離散フーリエ変換（ＤＦＴ：Ｄｉｓｃｒｅｔｅ  Ｆｏｕｒｉｅｒ  Ｔｒａｎｓｆｏｒｍａｔｉｏｎ  ）拡散ＯＦＤＭ（ＤＦＴ−Ｓ−ＯＦＤＭ）に基づく波形にも対応している。これはＣＰ−ＯＦＤＭ波形を、少なくとも４０ＧＨｚまでのｅＭＢＢアップリンクを補充するものである。
【０００６】
ダウンリンク、アップリンクおよびサイドリンク用に、波形をできるだけ共通にすることが、ＮＲでの設計目標の１つである。アップリンク送信のいくつかの事例については、ＤＦＴ拡散を導入する必要がないものと、考えられてきた。「ダウンリンク」なる用語は、高位ノードから低位ノードへの通信（例えば、基地局からリレーノードまたはＵＥへ、リレーノードからＵＥへ、など）のことである。「アップリンク」なる用語は、低位ノードから高位ノードへの通信（例えば、ＵＥからリレーノードまたは基地局へ、リレーノードから基地局へ、など）のことである。「サイドリンク」なる用語は、同レベルのノード間の通信（例えば、２つのＵＥ、または２つのリレーノード、または２つの基地局間）のことである。
【先行技術文献】
【非特許文献】
【０００７】
【非特許文献１】3GPP TSG RAN TR 38.913 v14.1.0, "Study on Scenarios and Requirements for Next Generation Access Technologies", Dec. 2016
【非特許文献２】3GPP TSG TR 38.801 v2.0.0, "Study on New Radio Access Technology；Radio Access Architecture and Interfaces", March 2017
【非特許文献３】3GPP TR 38.913
【発明の概要】
【発明が解決しようとする課題】
【０００８】
非限定的および例示的実施形態により、参照信号の送信と混合ヌメロロジ（ｍｉｘｅｄ  ｎｕｍｅｒｏｌｏｇｉｅｓ）用のデータとを調整してヌメロロジ間干渉（ｉｎｔｅｒ−ｎｕｍｅｒｏｌｏｇｙ  ｉｎｔｅｒｆｅｒｅｎｃｅ）を減らしやすくする。
【課題を解決するための手段】
【０００９】
一般的な一態様では、ここに開示する技術は、送信装置を特徴づけている。送信装置は、動作時に、データおよび／または参照信号を、通信システムのリソース上にマッピングする回路を、備えている。リソースは、第１のヌメロロジおよび第２のヌメロロジのサブキャリアを含み、第１のヌメロロジと第２のヌメロロジとは、少なくともサブキャリア間隔について異なる。第１および第２のヌメロロジのサブキャリアは、サブキャリア単位で周波数多重化される。送信装置は、動作時に、マッピングされた参照信号および／またはデータを送信する送信機を、さらに備えている。ここで、回路は、動作時に、第１のヌメロロジのサブキャリアと第２のヌメロロジのサブキャリアとの間に位置する少なくとも１つのサブキャリアに、送信電力を割り当てずにおく。
【００１０】
なお、一般的または具体的実施形態は、システム、方法、集積回路、コンピュータプログラム、記憶媒体、またはこれらから任意に選択された組み合わせとして、実装されてもよい。
【００１１】
開示された実施形態のさらなる利点および長所は、明細書および図面から明らかとなる。利点および／または長所は、様々な実施形態、ならびに明細書および図面の特徴から、個々に得られてもよいが、これらは、このような利点および／または長所の１つまたは複数を取得するために、全て提供される必要があるわけではない。
【図面の簡単な説明】
【００１２】
【図１】異なるヌメロロジを模式的に示す図である。
【図２】様々なサブキャリア間隔のためのサブキャリアの入れ子構造を示す模式図である。
【図３Ａ】非ヌメロロジ間直交サブキャリア（ｎｏｎ−ｉｎｔｅｒ−ｎｕｍｅｒｏｌｏｇｙ−ｏｒｔｈｏｇｏｎａｌ  ｓｕｂｃａｒｒｉｅｒｓ）による干渉を示す模式図である。
【図３Ｂ】非ヌメロロジ間直交サブキャリア（ｎｏｎ−ｉｎｔｅｒ−ｎｕｍｅｒｏｌｏｇｙ−ｏｒｔｈｏｇｏｎａｌ  ｓｕｂｃａｒｒｉｅｒｓ）による干渉を示す模式図である。
【図４】送信装置および受信装置の構造を示すブロック図である。
【図５】例示的な送信装置およびその動作を示すブロック図である。
【図６】１５ｋＨｚヌメロロジを採用した例示的な受信装置およびその動作を示すブロック図である。
【図７】３０ｋＨｚヌメロロジを採用した例示的な受信装置およびその動作を示すブロック図である。
【図８】１５ｋＨｚヌメロロジに対応した受信機に適用されたＦＦＴウィンドウを示す模式図である。
【図９】３０ｋＨｚヌメロロジに対応した受信機に適用されたＦＦＴウィンドウを示す模式図である。
【図１０】図１０Ａから図１０Ｃは、ヌメロロジ間干渉を示す模式図である。
【図１１】データが１５ｋＨｚのＳＣＳを用いて送信され、参照信号が３０ｋＨｚのＳＣＳを用いて送信される例を示す模式図である。
【図１２】データが３０ｋＨｚのＳＣＳ  を用いて送信され、参照信号が１５ｋＨｚのＳＣＳを用いて送信される例を示す模式図である。
【図１３】ヌメロロジ間直交サブキャリアがゼロ／非ゼロ参照信号と異なるヌメロロジ用データとの間に割り当てられた例を示す模式図である。
【図１４】ゼロ／非ゼロ参照信号が、１ＯＦＤＭシンボルにマッピングされた例を示す模式図である。
【図１５】ゼロ／非ゼロ参照信号が、２つのシンボルにマッピングされた例を示す模式図である。
【図１６】ヌメロロジ間干渉が減少しているものの非ヌメロロジ間直交サブキャリアが非ゼロパワー（ｎｏｎ−ｚｅｒｏ  ｐｏｗｅｒ）に割り当てられた例を示す模式図である。
【図１７】サイクリックプレフィックスを追加する例を示す模式図である。
【発明を実施するための形態】
【００１３】
非特許文献３に示すように、ＮＲのための様々な使用事例や開発シナリオには、データレート、レイテンシ、およびカバレッジについての多様な要件がある。例えば、ｅＭＢＢは、ＩＭＴアドバンスド（ＩＭＴ−Ａｄｖａｎｃｅｄ）により提供されたものの３倍のオーダーでの、最大データ速度（ダウンリンクで２０Ｇｂｐｓ、およびアップリンク１０Ｇｂｐｓ）およびユーザーエクスペリエンスデータ速度（ｕｓｅｒ−ｅｘｐｅｒｉｅｎｃｅｄ  ｄａｔａ  ｒａｔｅｓ）に対応することが予想されている。一方、ＵＲＬＬＣの場合、超低遅延（ユーザープレーンレイテンシのＵＬおよびＤＬの各々に対し０．５ｍｓ）および高信頼性について、より厳しい要件が課されている。最後に、ｍＭＴＣは、高接続密度（都市環境における１，０００，０００装置／ｋｍ２）、厳しい環境における広カバレッジ、低コスト装置については極めて長寿命のバッテリー（１５年）を必要としている。
【００１４】
したがって、ＮＲネットワークにおいて、複数のＯＦＤＭヌメロロジが対応しており、その各々が、あるサービスシナリオに最適化可能である。ヌメロロジは、サブキャリア間隔およびＣＰオーバーヘッドにより定義されている。異なるヌメロロジにおけるサブキャリア間隔の値が、基本サブキャリア間隔を整数Ｎでスケーリングすることにより導出されることが、決定される。ＲＡＮ１＃８５（南京２０１６年５月）では、１５ｋＨｚサブキャリア間隔を含むＬＴＥベースヌメロロジが、ＮＲヌメロロジについてのベースライン設計であることが、作業想定として結論づけられている。倍率（ｓｃａｌｉｎｇ  ｆａｃｔｏｒ）Ｎについては、Ｎ＝２ｍが、ベースライン設計想定として結論づけられている。それに応じて、１５  ｋＨｚ、３０  ｋＨｚ、６０  ｋＨｚ…のサブキャリア間隔が検討されている。図１は、３つの異なるサブキャリア間隔（１５  ｋＨｚ、３０  ｋＨｚおよび６０  ｋＨｚ）、および対応するシンボル期間（ｓｙｍｂｏｌ  ｄｕｒａｔｉｏｎ）を示す。シンボル期間Ｔｕとサブキャリア間隔Δｆとは、式Δｆ＝１／Ｔｕにより直接関連づけられている。ＬＴＥと同様に、「リソースエレメント」（ＲＥ）なる用語は、１ＯＦＤＭまたはシングルキャリア（ＳＣ）周波数分割多重アクセス（ＳＣ−ＦＤＭＡ）シンボルの長さについて１つのサブキャリアで構成された最小リソースユニットを意味する。
【００１５】
多様な要件の様々なサービスに対応するために、ダウンリンクおよびアップリンクの双方について、ＴＤＭおよび／またはＦＤＭ方式が、異なるヌメロロジを同一のＮＲキャリア帯域幅内で多重化することに（ネットワークの視点で）対応することが決定されている。一方、ＵＥの視点では、１つまたは複数の使用シナリオ（例えば、ｅＭＢＢ  ＵＥまたはＵＥは、ｅＭＢＢおよびＵＲＬＬＣの双方に対応したＵＥ）に対応していてもよい。一般に、１つまたは複数のヌメロロジに対応することにより、ＵＥ処理が複雑になりうる。
【００１６】
２ｍ×１５ｋＨｚのサブキャリア間隔について、サブキャリアは、１５ｋＨｚのサブキャリア間隔の部分集合／上位集合上に、周波数領域内で入れ子状にマッピングされ、物理リソースブロック（ＰＲＢ：Ｐｈｙｓｉｃａｌ  Ｒｅｓｏｕｒｃｅ  Ｂｌｏｃｋ）グリッドは、１５ｋＨｚのサブキャリア間隔のＰＲＢグリッドの部分集合／上位集合として周波数領域内に入れ子状に定義されることが、決定されている。
【００１７】
図２は、１５ｋＨｚ、３０ｋＨｚおよび６０ｋＨｚの３つのサブキャリア間隔のサブキャリア入れ子構造の一例を示す。
【００１８】
異なるヌメロロジが入れ子状になっている場合（ＲＡＮ１＃８６にて合意されているように）、異なるヌメロロジにおけるあるサブキャリアは、異なるヌメロロジに亘って直交している。図２に示すようなサブキャリアの入れ子構造の場合、以下のサブキャリアは、ヌメロロジ間で直交している。
・  最大ＳＣＳΔｆｍａｘ（６０ｋＨｚ）について、全サブキャリア、すなわちｋ＝０、１、２、…は、ヌメロロジ間で直交している。
・  ＳＣＳΔｆ＝Δｆｍａｘ／Ｎについて、指標ｋ×Ｎのサブキャリアは、ヌメロロジ間で直交している。なお、ｋは、最大ＳＣＳのサブキャリアの添字（ｓｕｂｃａｒｒｉｅｒ  ｉｎｄｅｘ）である。特に、ＳＣＳΔｆ＝３０Ｈｚについて、サブキャリアｌ＝０、２、４、…は、ヌメロロジ間で直交している。さらに、ＳＣＳΔｆ＝１５Ｈｚについて、サブキャリアｍ＝０、４、８、…は、ヌメロロジ間で直交している。
【００１９】
サブキャリアインデキシングバイアス（ｓｕｂｃａｒｒｉｅｒ  ｉｎｄｅｘｉｎｇ  ｂｉａｓ）が、ＳＣＳΔｆ＝Δｆｍａｘ／Ｎのヌメロロジに導入される場合、ヌメロロジ間直交サブキャリアは、ｋ×Ｎ＋バイアスとして特定される。例えば、１５ｋＨｚ−ＳＣＳサブキャリア＃１は、６０ｋＨｚ−ＳＣＳサブキャリア＃０にアラインされると（１５ｋＨｚ−ＳＣＳヌメロロジについてのインデキシングバイアスが１であることを意味する）、１５ｋＨｚ−ＳＣＳにおけるサブキャリアＩ＝１、５、９、…は、ヌメロロジ間で直交する。
【００２０】
３ＧＰＰ  ＲＡＮ１＃８７において、ＮＲは、ＦＤＭ／ＴＤＭ方式での（ネットワークの視点で）異なるヌメロロジの動的リソース割当に効率的に対応するようにしていることにつき、合意されている。動的リソース共有に対応するため、スケジューラは、異なるヌメロロジについて、共有リソースに亘り、チャネル状態情報（ＣＳＩ：ｃｈａｎｎｅｌ  ｓｔａｔｅ  ｉｎｆｏｒｍａｔｉｏｎ）が含まれるようにすべきである。特に、各受信機は、チャネルパラメータを測定し、それに基づき、送信機に対して定期的に（同期および／または非同期で）提供されるＣＳＩを生成する。ＬＴＥにおいて、おそらくはＮＲにおいても、送信機は、スケジューラの役割を有し、ネットワークノード内に基地局として実装されてもよい。一方、受信機は、任意の種類の端末（ユーザ機器、ＵＥ：Ｕｓｅｒ  Ｅｑｕｉｐｍｅｎｔ）であってもよい。
【００２１】
ＬＴＥリリース１０以上では、ＣＳＩ参照信号（ＣＳＩ−ＲＳ）は、ＵＥがＣＳＩ報告を形成するために用いられうる。ＣＳＩ報告は、スケジューラへフィードバックされることになる。ＣＳＩ−ＲＳは、ＬＴＥにおける物理ダウンリンク共有チャネル（ＰＤＳＣＨ）を通るデータと、周波数多重化される。ＰＤＳＣＨは、ダウンリンク方向の、すなわち、スケジューリングノード（基地局、ｅＮＢまたはｇＮＢ）からの送信のための物理チャネルである。「共有」なる用語は、物理リソースが、接続に基づくというより、現行のトラフィックに基づき、複数のＵＥに動的に割り当てられる、すなわち、共有されるという事実のことである。
【００２２】
ＣＳＩ−ＲＳおよびＰＤＳＣＨが同じヌメロロジを用いて送信されるので、ＣＳＩ−ＲＳおよびＰＤＳＣＨを通すサブキャリアは、互いに直交している。したがって、セル内のＣＳＩ−ＲＳとＰＤＳＣＨとの間に干渉はない。
【００２３】
ＮＲにつき、ＣＳＩ取得のために、ＣＳＩ−ＲＳが対応することにつき、合意がなされている。ＣＳＩ報告には、チャネルとセル間干渉の双方を測定することが必要となりうる。しかしながら、ＮＲでは、複数のヌメロロジがネットワーク内で共存するという事実を考慮し、ＣＳＩ−ＲＳおよびＰＤＳＣＨは、異なるヌメロロジを用いて送信されることが起こりうる。異なるヌメロロジに属するサブキャリアが一般に直交していないため、ヌメロロジ間干渉という結果がもたらされることになる。図３Ａに、このようなものの一例を示す。現在まで、ヌメロロジ間干渉を避けるために、混合ヌメロロジにつき、ＣＳＩ−ＲＳおよびＰＤＳＣＨの送信をどのように統合するのかは、不明瞭なままである。一般に、データが送信されるチャネルは、ＰＤＳＣＨである必要はない。この問題は、チャネルの種類に関わらず、異なる共存ヌメロロジについて発生する。一般に、ペイロードおよび／または制御情報を通すあらゆるデータチャネルが関係することになり、以下の例示的実施形態も、このようなチャネルのいずれにも適用可能である。
【００２４】
図３Ａを参照すると、スロットｉにおいて、ＰＤＳＣＨ送信の帯域幅は、１５ｋＨｚ−ＳＣＳヌメロロジと３０ｋＨｚ−ＳＣＳヌメロロジとの間で等分割されている。しかしながら、スケジューラは、１５ｋＨｚ−ＳＣＳ  ＵＥをスロットｊ内のより広い周波数帯域幅に亘りスケジューリングして、増加したトラフィックに対応するために、共有帯域幅の全体に亘る１５ｋＨｚ−ＳＣＳ  ＵＥからのＣＳＩを、必要とする。したがって、スロットｉでは、１５ｋＨｚのＳＣＳを用いたＣＳＩ−ＲＳは、３０ｋＨｚのＳＣＳのデータ（ＰＤＳＣＨ）領域に亘って送信され、ヌメロロジ間干渉という結果になる。ヌメロロジ間干渉は、
・  ＰＤＳＣＨからＣＳＩ−ＲＳへの干渉により、チャネル推定品質に対し、および
・  ＣＳＩ−ＲＳからＰＤＳＣＨへの干渉により、ＰＤＳＣＨの復号に対し、
悪影響をもたらすことになる。
【００２５】
さらに、潜在的なヌメロロジ間干渉により、セル間干渉の測定は、より不正確になる（例えば、隣接セル間の実際のトラフィック状況に影響することなく、それよりも、セル間干渉とヌメロロジ間干渉との組み合わせで）。この不正確なＣＳＩ報告に基づくスケジューリング判断は、スケジューラにとって、困難な問題となりうる。
【００２６】
上記内容は、１５ｋＨｚ−ＳＣＳ  ＵＥの視点からのものである。一方、スケジューラは、これらのＵＥをスケジューリングするために、３０  ｋＨｚ−ＳＣＳ  ＵＥからのチャネル状態報告を必要とする。この事例におけるＣＳＩ−ＲＳ送信のためのヌメロロジを選択する選択肢は、２つある。
【００２７】
第１の選択肢は、単一のヌメロロジが、ＣＳＩ−ＲＳを共有帯域幅の全体に亘り送信するために用いられることである。例えば、１５ｋＨｚのＳＣＳは、図３Ａに示すように、１５ｋＨｚおよび３０ｋＨｚのＳＣＳで共有されるＰＤＳＣＨ帯域幅に亘り、ＣＳＩ−ＲＳを送信するために用いられる。そして、３０ｋＨｚ−ＳＣＳ  ＵＥは、例えば、ＣＳＩ構成メッセージにより、１５ｋＨｚ−ＳＣＳを用いてＣＳＩ−ＲＳを検出するように構成されうる。この設計で、１５ｋＨｚ−ＳＣＳ  ＵＥは、ＣＳＩ−ＲＳを検出し、単一の処理エンジンで、データチャネルを同時に復号することができるが、単一の処理エンジンで３０ｋＨｚ−ＳＣＳ  ＵＥには、最初にデータをバッファして、ＣＳＩ推定およびＰＤＳＣＨ復号を並列して行うことが必要となり、ＣＳＩ報告をさらに遅延させうる。それにもかかわらず、ＣＳＩ報告時間の合計を考慮すると、この追加の遅延は無視しうる。一方、３０ｋＨｚ−ＳＣＳ  ＵＥは、複数の処理エンジンを備え、ＣＳＩ−ＲＳ／データチャネルを同時に検出・復号することができる。なお、ここでの処理エンジンは、ＦＦＴ動作などの動作を実行するモジュールのことである。図６および図７に示すように、ＣＰ除去、サンプルシフト、ＦＦＴモジュール、およびサブキャリアデマッピングが含まれてもよい。
【００２８】
第２の選択肢は、複数のヌメロロジが、ＣＳＩ−ＲＳを送信するために用いられることであり、各ヌメロロジは、共有帯域幅の全体に亘る。図３Ｂに、ＣＳＩ−ＲＳが、１５ｋＨｚおよび３０ｋＨｚのＳＣＳの双方により送信される、このようなものの一例を示す。このような場合、各ＵＥは、同一のヌメロロジで、ＣＳＩ−ＲＳをデータとして検出する。したがって、ＵＥが異なるヌメロロジを扱う必要はないものの、ＣＳＩ−ＲＳのオーバーヘッドは、第１の選択肢と比較して、ネットワークの視点からすると、増加することになりうる。
【００２９】
使用されているヌメロロジまたはＣＳＩ−ＲＳのためのヌメロロジに関わらず、ＣＳＩ−ＲＳおよび基本的なＰＤＳＣＨが、少なくとも周期的およびセミパーシステントＣＳＩ−ＲＳ送信について、異なるヌメロロジで送信される可能性が常にある。これは、あるヌメロロジでのＰＤＳＣＨは、共有帯域幅に亘って、スケジューリング間隔またはＴＴＩ毎に動的にスケジューリングされうる一方で、周期的またはセミパーシステントＣＳＩ−ＲＳリソースは、より低速な時間スケール（例えば、複数のＴＴＩ毎）上に適応されているためである。異なるヌメロロジでのＣＳＩ−ＲＳとＰＤＳＣＨとの混合を許さないと、ＰＤＳＣＨの使用ヌメロロジのスケジューリングの柔軟性を、大幅に制限することにもなりうる。結果として、ヌメロロジ間干渉の問題が発生する。
【００３０】
本開示により、混合ヌメロロジのために、参照信号（例えば、ＣＳＩ−ＲＳ）および（例えば、ＰＤＳＣＨを通る）データの送信を統合してヌメロロジ間干渉を減少させるソリューションが、提供される。
【００３１】
一般に、本開示により、ネットワークによるリソースの確保の構成の装置および方法が提供される。なお、確保されたリソースには、データは通らない。すなわち、ゼロパワー（ＺＰ）が割り当てられる。
【００３２】
換言すれば、送信装置（またはスケジューラ）は、これらの確保されたリソースに、送信を割り当てない。したがって、参照信号およびデータが、異なるヌメロロジでＲＥレベルにて、すなわちリソースエレメント毎に周波数多重化されている場合、所定のリソースエレメント数が、送信装置により、ゼロパワーリソースエレメントのために確保される。換言すれば、所定数のリソースに、送信電力が割り当てられないことになる。複数のＺＰリソースエレメントに亘り、物理チャネルや信号が割り当てられないことになる。さらに、ゼロパワーリソースの構成は、ヌメロロジに固有のものである。すなわち、送信電力が割り当てられないことを考慮し、異なるヌメロロジは、異なる構成を有しうる。
【００３３】
図４は、（無線）物理チャネル４５０で互いに通信する送信装置４１０と受信装置４６０とを含む通信システムのブロック図を示す。
【００３４】
送信装置４１０は、動作時に、データおよび／または参照信号を、通信システムのリソース上にマッピングする回路４３０を、備えている。リソースは、第１のヌメロロジおよび第２のヌメロロジを含み、第１のヌメロロジと第２のヌメロロジとは、少なくともサブキャリア間隔について異なる。第１および第２のヌメロロジのサブキャリアは、サブキャリア単位で周波数多重化される。送信装置４１０は、動作時に、マッピングされた参照信号および／またはデータを送信する送信機４２０を、さらに備えている。回路４３０は、動作時に、第１のヌメロロジのサブキャリアと第２のヌメロロジのサブキャリアとの間に位置する少なくとも１つのサブキャリアに、送信電力を割り当てずにおく。
【００３５】
受信装置４６０は、動作時に、通信システムのリソースにおけるデータおよび／または参照信号を受信する受信機４７０を、備えている。受信装置４６０は、動作時に、データおよび／または少なくとも１つの参照信号を、第１のヌメロロジのサブキャリアと第２のヌメロロジのサブキャリアとを含むリソースからデマッピングする回路４８０を、さらに備えており、第１のヌメロロジと第２のヌメロロジとは、少なくともサブキャリア間隔について異なっており、第１および第２のヌメロロジのサブキャリアは、サブキャリア単位で周波数多重化される。受信機４７０は、動作時に、制御情報を受信して、どのサブキャリアに送信電力が割り当てられていないかを導出し、第１のヌメロロジのサブキャリアと第２のヌメロロジのサブキャリアとの間に位置する少なくとも１つのサブキャリアに送信電力が割り当てられない。
【００３６】
また、送信装置により実行される送信方法も、開示されている。送信方法は、データおよび／または参照信号を、通信システムのリソース上にマッピングするステップであって、リソースは、第１のヌメロロジと第２のヌメロロジのサブキャリアとを含み、第１のヌメロロジと第２のヌメロロジとは、少なくともサブキャリア間隔について異なっており、第１および第２のヌメロロジのサブキャリアは、サブキャリア単位で周波数多重化される、ステップを含む。送信方法は、マッピングされた参照信号および／またはデータを送信するステップを含む。データおよび／または参照信号をリソース上にマッピングするステップでは、第１のヌメロロジのサブキャリアと第２のヌメロロジのサブキャリアとの間に位置する少なくとも１つのサブキャリアに、送信電力が割り当てられない。
【００３７】
さらに、受信装置により実行される受信方法も、開示されている。受信方法は、通信システムのリソースにおけるデータおよび／または参照信号を受信するステップを含む。受信方法は、データおよび／または参照信号を、第１のヌメロロジのサブキャリアと第２のヌメロロジのサブキャリアとを含むリソースからデマッピングするステップを、さらに含み、第１のヌメロロジと第２のヌメロロジとは、少なくともサブキャリア間隔について異なっており、第１および第２のヌメロロジのサブキャリアは、サブキャリア単位で周波数多重化される。データおよび／または制御情報を受信するステップでは、制御情報を受信して、どのサブキャリアに送信電力が割り当てられていないかを導出し、第１のヌメロロジのサブキャリアと第２のヌメロロジのサブキャリアとの間に位置する少なくとも１つのサブキャリアに送信電力が割り当てられない。
【００３８】
なお、送信装置４１０は、基地局（スケジューリングノード）および／または端末（ＵＥ）内に実装可能である。さらに、受信装置４６０も、基地局内に、かつ／または端末内に実装されてもよい。
【００３９】
ダウンリンク動作では、基地局は、送信装置４１０として動作する。ゼロパワーが割り当てられるサブキャリアを示す制御情報を、送信してもよい。そして、基地局は、端末用のデータをスケジューリングし、データおよび／または参照信号を、構成にしたがって送信してもよい。すなわち、構成が示すサブキャリアには送信電力を割り当てない。データおよび／または参照信号を受信する端末は、チャネルおよび／またはセル間干渉を、参照信号に基づいて測定し、ＣＳＩ報告を基地局へ送信してもよい。
【００４０】
アップリンク動作では、基地局は、受信装置４６０として動作する。ゼロパワーが割り当てられるサブキャリアを示す制御情報を、送信してもよい。そして、基地局は、端末にアップリンクリソース割当情報を提供することにより、端末からの送信をスケジューリングしてもよい。そして、基地局は、データおよび／または参照信号を、構成にしたがって送信する。すなわち、構成が示すサブキャリアには送信電力を割り当てない。データおよび／または参照信号を受信する基地局は、チャネルおよび／またはセル間干渉を、参照信号に基づいて測定し、それをスケジューリングのために用いてもよい。
【００４１】
データおよび参照信号が、送信および／または受信されるリソースエレメントに割り当てられた場合、データは、第１および第２のヌメロロジの一方のサブキャリアにマッピングされてもよく、参照信号は、第１および第２のヌメロロジのうちのデータがマッピングされているヌメロロジとは異なる方に、マッピングされてもよい。
【００４２】
上記の「データ」なる用語は、制御データおよび／またはペイロードのことである。「参照信号」なる用語は、送信および受信装置の双方が認識している信号を示す。例えば、（少なくとも１つのパラメータの）参照信号の位置および値は、規格において規定または設定されていてもよい。通信システムは、無線インターフェースのあるセルラーシステムであってもよい。このようなセルラーシステムは、モバイルであってもよい。すなわち、送信／受信装置のシームレスなモビリティに対応している。データは、例えば、このようなセルラーシステムのＰＤＳＣＨ上で送受信されてもよい。さらに、参照信号の例は、チャネル状態情報参照信号（ＣＳＩ−ＲＳ）である。ただし、本発明は、それに限定されるものではなく、あらゆる通信システムの送受信に適用可能である。
【００４３】
様々な種類のＣＳＩ−ＲＳとしては、送信電力が割り当てられない、非ゼロパワー（ＮＺＰ）ＣＳＩ−ＲＳおよびゼロパワー（ＺＰ）ＣＳＩ−ＲＳがある。ゼロパワーＣＳＩ−ＲＳは、セル間干渉を測定するように構成されている。本開示では、ＺＰ  ＣＳＩ−ＲＳは、送信電力が割り当てられないリソースエレメントである「ゼロパワーリソースエレメント」とは区別されている。ただし、一般に、ＺＰ  ＲＥは、測定のためには構成されていない。本開示の例示的実施形態では、送信装置４１０の回路４３０は、１つまたは複数のＺＰ  ＣＳＩ−ＲＳを、第１および／または第２のヌメロロジのサブキャリア上に、マッピングする。
【００４４】
リソースは、ＯＦＤＭシステムのサブキャリアに基づいてもよい。このようなリソースは、周波数領域におけるサブキャリアおよびＯＦＤＭシンボルなどの時間領域におけるシンボルにより、定義されてもよい。１つのサブキャリアと１つのシンボルで定義されるリソースを、リソースエレメント（ＲＥ）と称し、これは、システムにおける最小の物理リソースである。ヌメロロジは、ＳＣＳによるだけでなく、サイクリックプレフィックス（ＣＰ）長により、定義されてもよい。時間領域におけるＯＦＤＭシンボル期間は、有用なシンボル時間Ｔｕおよびサイクリックプレフィックス長ＴＣＰからなる。ここで、Ｔｕは、式Δｆ＝１／Ｔｕによるサブキャリア間隔Δｆに直接的に関連し、ＴＣＰは、無線チャネルの時間分散特性にしたがって選択されてもよい。実際には、図１７に示すように、送信機のＩＦＦＴの時間離散出力に対し、ＣＰ挿入が行われる。ＣＰ挿入は、長さＮのＩＦＦＴ出力ブロックの最新のＮＣＰサンプルが、ブロックの最初にコピーされて挿入され、ブロック長はＮからＮ＋ＮＣＰとなることを暗示している。受信機側では、対応するサンプルが、例えば、ＤＦＴ／ＦＦＴ処理によるＯＦＤＭ変調前に、破棄される。特に、ＤＦＴ／ＦＦＴを実行前に、図８および図９にも示すように、変換されるサンプルを適切な数だけ切り出すために、ウィンドウが適用される。
【００４５】
無線通信システムでは、送信装置は、基地局に相当してもよい。このような基地局の例として、ＬＴＥのｅＮｏｄｅＢや、ＮＲのｇＮｏｄｅＢ（ｇＮＢ）がある。受信装置は、端末またはユーザ機器（ＵＥ）に対応してもよい。
【００４６】
様々なヌメロロジが、参照信号およびデータの送信に用いられてもよい。例えば、１５ｋＨｚのＳＣＳのヌメロロジが、参照信号送信に用いられ、３０ｋＨｚのＳＣＳのヌメロロジが、データ送信に用いられる。以下において、本例示的実施形態による送信機の動作につき、図５を参照して説明する。
【００４７】
最初に、スケジューラは、参照信号、データ、およびゼロパワーサブキャリアが、どのサブキャリア上にマッピングされるかを判断する。そして、送信装置は、その判断に基づき、サブキャリアマッピングを行う。送信装置およびスケジューラが同一場所に位置している場合、例えば、ダウンリンクにて送信装置およびスケジューラが基地局内に位置している場合、空間を介したシグナリングは不要である。そうでなければ、例えば、アップリンクにてスケジューラの判断が非自明的にあるいは明示的シグナリングにて、送信装置に知られている必要がある。このようなシグナリング方法の１つが、ダウンリンク制御信号を用いてもよい。
【００４８】
上記リソースグリッド内の参照信号／ゼロパワー／データリソースエレメントの位置は、スケジューラにより判断される。ただし、このことが、本発明を限定することはない。この位置は、基準により完全または部分的に定義されていてもよい。例えば、この基準は、特定の各ヌメロロジの参照信号および／またはＺＰリソースエレメントの１つまたは複数の構成を定義していてもよい。そして、スケジューラは、とりうる構成の１つを選択してもよい。さらに、スケジューラは、データリソースを様々なＵＥに割り当て、参照信号およびＺＰ用に確保されていない残りのリソースに、データを対応してマッピングする。
【００４９】
図５を参照すると、参照信号（ＲＳ）は、ＲＳ送信用に構成された１５ｋＨｚのＳＣＳのサブキャリア上にマッピングされる。データは、３０ｋＨｚのＳＣＳのサブキャリア上にマッピングされる。図５に示すように、サブキャリアマッピングは、サブキャリアマッパにより実行されてもよい。サブキャリアマッパは、上述の回路４３０の一部であってもよい。
【００５０】
参照信号およびデータがサブキャリアにマッピングされた後、様々なサブキャリア数（サイズＮ１およびＮ２）での逆高速フーリエ変換（ＩＦＦＴ：ｉｎｖｅｒｓｅ  ｆａｓｔ  Ｆｏｕｒｉｅｒ  ｔｒａｎｓｆｏｒｍａｔｉｏｎ）演算が実行される。サイズは、様々なヌメロロジについて同じサンプリングレートが維持されるように、選択される。例えば、１５ｋＨｚのＳＣＳのヌメロロジにつき、Ｎ１として２０４８が選択され、サンプリングレートが３０．７２ＭＨｚという結果となり、これは、１５ＭＨｚ以上のシステム帯域幅のＬＴＥシステムに典型的なサンプリングレートである。サンプリングレートは、ＳＣＳとＩＦＦＴサイズの積として算出される。したがって、３０ｋＨｚのＳＣＳのヌメロロジにつき、Ｎ２として１０２４（＝Ｎ１／２）を選択することができ、同じサンプリングレートである３０．７２ＭＨｚという結果になる。ＩＦＦＴブロックも、回路４３０の一部であってもよい。
【００５１】
一旦、時間領域サンプルは、ＩＦＦＴブロックにより生成されており、サイクリックプレフィックスは、ＣＰ加算器（これも回路４３０の一部）により加算される。異なるヌメロロジは、ＣＰ長がそれぞれ異なる。異なるヌメロロジについて同じＣＰオーバーヘッドを維持するために、ＣＰ長は、サブキャリア間隔の同じ倍率により、スケーリングされうる。例えば、１５ｋＨｚのＳＣＳにつき、１４４サンプル（３０．７２ＭＨｚのサンプリングレートで≒４．７μｓ）が用いられてＣＰ１を形成し、３０ｋＨｚのＳＣＳにつき、７２（＝１４４／２）サンプル（３０．７２ＭＨｚのサンプリングレートで≒２．３５  μｓ）がＣＰ２のために用いられる。３０ｋＨｚのＳＣＳのＯＦＤＭシンボル時間は、１５ｋＨｚのＳＣＳの半分であるため、ＣＰオーバーヘッドのパーセンテージは、これら２つのヌメロロジと同じである。ただし、ＣＰ長のスケーリング関係は、提案された方式が機能するための前提ではない。ここに開示された方法は、ヌメロロジ間の任意のＣＰ関係に適用可能である。
【００５２】
一般に、離散コサイン変換（ＤＣＴ）／ＩＤＣＴまたは他の時間および周波数領域間の変換など、ＦＦＴ／ＩＦＦＴ以外の変換が、用いられてもよい。
【００５３】
変換方法の次のステップは、送信装置により実行されてもよく、時間領域のサンプルと、異なるヌメロロジからの対応するＣＰとを加算し、得られたサンプルをデジタルアナログ変換（ＤＡＣ）モジュールによりアナログ信号へ変換し、最後に、信号を、１つまたは複数のアンテナを介して送信されることになる無線周波数（ＲＦ）へと、変換することを含む。このように、送信装置の回路４３０は、ヌメロロジ加算器を備えていてもよく、送信機４２０は、ＤＡＣとともに、ＲＦ回路（モジュール）および１つまたは複数のアンテナを備えていてもよい。
【００５４】
図６は、受信装置４６０の例示的構造を示す。特に、受信機４７０は、１つまたは複数のアンテナと、ＲＦ回路（モジュール）と、アナログデジタル変換器（ＡＤＣ）とを備えていてもよい。回路４８０は、ＣＰ除去用の回路と、シフトレジスタ、ＦＦＴ実行用の回路（ＦＦＴモジュール）と、サブキャリアデマッパ（ｓｕｂｃａｒｒｉｅｒ  ｄｅ−ｍａｐｐｅｒ）とを、備えていてもよい。
【００５５】
以下に、図６を参照して、受信装置４６０の動作を詳述する。特に、受信装置は、１５ｋＨｚ−ＳＣＳ動作に対応した１５ｋＨｚ−ＳＣＳ受信装置である。このような受信装置は、他のヌメロロジに対応していてもよいが、対応しなければならないわけではない。したがって、図６には、１５ｋＨｚ−ＳＣＳ受信関連の回路のみを示す。最初に、アナログ信号は、アンテナおよびＲＦモジュールを介して受信されて、デジタル信号へ、すなわち、時間領域サンプルへと変換される。
【００５６】
ＦＦＴ動作前に、３０ｋＨｚのＳＣＳ信号からのヌメロロジ間干渉が低減または除去されることが確実になるように、２つのステップが実行されてもよい。ＣＰ除去と、ＣＰ除去後のサンプルシフトである。ＣＰ除去は、他のより短いＣＰ長、より広いＳＣＳのヌメロロジ、例えばＣＰ２の長さに基づく。ＣＰ２除去後、ＣＰ１領域内の残りのサンプルは、ＯＦＤＭシンボルの末尾へとシフトされてもよい。このサンプルシフト動作は、ＣＰ１の部分のみを除去することにより受信信号にもたらされた、位相シフトの効果を取り消すために、用いられる。
【００５７】
除去されるＣＰの長さ、およびサンプルシフト動作がＣＰ除去後に必要であるかどうかが、ゼロパワーＲＥ構成の一部である。この構成は、非明示的にあるいは明示的なシグナリングにより、受信装置に認識されている。
【００５８】
一方、スケジューラは、例として、１５ｋＨｚ−ＳＣＳ受信装置がＣＰ１にしたがってＣＰ除去を実行することを、決定することができる。この場合、サンプルシフト動作が不要である。これは、現行のＬＴＥシステムにおけるＵＥ動作と同様である。この場合の受信に、他のヌメロロジ用の他のＣＰ長の存在の通知用のシグナリングは不要である。確かに、この動作は、他のヌメロロジがＣＰ１とは異なるＣＰ長を用いるときに、他のヌメロロジからの干渉がないことを保証することはできない。それにもかかわらず、スケジューラは、シグナリングオーバーヘッドおよび受信装置の処理を低減するために、この構成を選択しうる。
【００５９】
一般に、受信機は、ネイティブヌメロロジと異なる長さ、およびサンプルシフト動作にしたがって、ＣＰ除去を構成して実行する能力があってもよい。ここで「ネイティブヌメロロジ」なる用語は、データが受信されるヌメロロジを意味する。受信装置は、単一のヌメロロジに対応していてもよく、複数のヌメロロジに対応していてもよく、そのうちのいずれもがデータ受信に選択可能である。
【００６０】
最後に、受信装置は、サブキャリアをデマッピングして、参照信号サブキャリアを測定することにより、チャネル推定および干渉推定を実行する。これは、ＣＳＩ取得回路により実行されてもよく、この回路は、受信装置の回路４８０の一部であってもよい。
【００６１】
この例では、３０ｋＨｚ−ＳＣＳヌメロロジは、混合ヌメロロジのなかでも、ＣＰ長がより短くなっている。したがって、３０ｋＨｚ−ＳＣＳ受信機は、図７に示すように、それ自身のヌメロロジによりＣＰ除去を行って、サンプルシフト動作を省略することができる。
【００６２】
特に、図７は、図５の送信装置により送信されたものの例として３０ｋＨｚヌメロロジでデータを受信する、受信装置の例を示す。
【００６３】
それにもかかわらず、上述したように、３０ｋＨｚ−ＳＣＳ受信機は、例えば他のヌメロロジ混合の事例を処理するためにも、ネイティブヌメロロジとは異なる長さとサンプルシフト動作にしたがって、ＣＰ除去を構成して実行することが可能でありうる。このような事例の１つとして、１５ｋＨｚのＳＣＳ、３０ｋＨｚのＳＣＳ、および６０ｋＨｚのＳＣＳが受信信号に混在することがありうる。したがって、図７に示す受信装置は、サンプルシフト回路（シフトレジスタ）を備えていてもよい。ただし、受信装置は、ヌメロロジ間干渉低減の利益を得つつ、１つのヌメロロジのみを受信可能であってもよい。
【００６４】
図７では、３０ｋＨｚ−ＳＣＳヌメロロジが、データを通すのに用いられている。したがって、サブキャリアが受信機でマッピングされた後、データサブキャリアに亘って受信機により復調が行われて、送信されたデータを取得する。それに応じて、受信装置４６０の回路４８０は、データを復調するための復調器を、さらに備えている。復号は、ＬＴＥでも用いられているＱＰＳＫ、１６ＱＡＭ、３２  ＱＡＭ、６４ＱＡＭなどの送信機に適用される復号による復号であってもよい。ただし、本開示はこれに限らない。より高次のＱＡＭ復号が、ＢＰＳＫ、トレリスコード化変調（ｔｒｅｌｌｉｓ−ｃｏｄｅｄ  ｍｏｄｕｌａｔｉｏｎｓ）、差分変調（ｄｉｆｆｅｒｅｎｃｅ  ｍｏｄｕｌａｔｉｏｎｓ）など、他の任意の変調と同様に適用されてもよい。
【００６５】
上述の例は、参照信号およびデータが異なる受信機宛であることを想定している。ただし、これらの受信機は、異なるヌメロロジを用いた同一の受信機であってもよい。このような場合、受信機は、図６および図７に示すように、複数のＦＦＴチェーンを有し、ＣＰ除去、サンプルシフト、ＦＦＴ、サブキャリアデマッピング、およびＣＳＩ取得または復号を実行することができる。これらの複数のＦＦＴチェーン（処理経路）は、共通ＲＦモジュールおよび共通ＡＤＣモジュール、すなわち受信機４７０を共用する。１５ｋＨｚのＳＣＳのヌメロロジに対応した受信装置の処理は、図８に再掲されている。３０ｋＨｚのＳＣＳのヌメロロジに対応した受信装置の処理は、図９に再掲されている。
【００６６】
一例によれば、回路は、ヌメロロジにおける（共存ヌメロロジのうち）最も広いサブキャリア間隔の２つの隣接サブキャリア間に位置するどのサブキャリアにも、送信電力を割り当てずにおく。
【００６７】
上記のいくつかの実施形態により、データおよび／または参照信号を、例えばある種のセンサなどの省電受信装置のような受信装置へ送信することができる。このようなセンサは、あるヌメロロジのサブキャリア上の送信にのみ対応している。例えば、１５ｋＨｚのＳＣＳまたは６０ｋＨｚのＳＣＳの他の種類のデバイスである。これにより、送信装置４１０は、例えば、６０ｋＨｚのＳＣＳおよび／または３０ｋＨｚのＳＣＳを有するヌメロロジのサブキャリア上にマッピングされたデータを、１つのみのヌメロロジに対応した受信装置とは異なる受信装置へ送信することができる。上記の例では、指定されたサブキャリア間隔が代替可能である。すなわち、受信装置が３０ｋＨｚのＳＣＳのヌメロロジのみに対応していてもよい。
【００６８】
例えば、図２に示すように、３つのヌメロロジが１つのセル内に共存している。そして、ヌメロロジ間干渉を抑えるために、ＳＣＳ１５ｋＨｚおよび３０ｋＨｚのヌメロロジの全ての非ヌメロロジ間直交サブキャリアがミュートされる。すなわち、全サブキャリアが６０ｋＨｚのヌメロロジのサブキャリアに対して中央にアラインされたサブキャリア間に位置する。
【００６９】
ただし、一般に、これらのキャリアのいくつかのみがミュートされた場合に、ヌメロロジ間干渉の低減が、既に達成されていてもよい。これにより、３つ以上の異なるヌメロロジがある場合、送信装置４１０の回路４３０は、最大のサブキャリア間隔のヌメロロジの２つの隣接するサブキャリア間に位置するサブキャリアに、送信電力を割り当てなくともよく、これらのサブキャリアは、互いに中央にアラインされ、最大のサブキャリア間隔よりも小さいサブキャリア間隔のヌメロロジに属する。
【００７０】
なお、上述の実施形態と実施例のいずれもが、３つ以上の共存ヌメロロジに拡張されてもよい。
【００７１】
さらに、図４における送信装置４１０の回路４３０は、どのサブキャリアに送信電力が割り当てられていないかを示す制御情報を生成してもよく、送信機４２０は、動作時に、生成された制御情報を送信する。さらに、送信電力が上記のサブキャリアに割り当てられていないシンボルに先行する、時間領域内のシンボルにおけるＲＥ上に、上記の制御情報はマッピングされてもよい。制御情報は、少なくとも１つのサブキャリアを特定していてもよく、このサブキャリアに対して、
・  送信電力が割り当てられておらず、
・  参照信号が割り当てられており、または
・  非ゼロパワーが割り当てられている。
【００７２】
制御情報は、特定のシステム情報において、半静的シグナリングにより送信されてもよい。制御情報は、ヌメロロジのための特定のＺＰ構成のアクティブ化または非アクティブ化を示す動的シグナリングによって、さらに送信されてもよい。
【００７３】
＜ヌメロロジ間の直交性＞
図２を参照して上述したように、異なるヌメロロジの入れ子状のサブキャリアが用いられる場合、異なるヌメロロジのある種のサブキャリアは、ヌメロロジに亘って直交している。さらに、以下の条件が適用される場合、サブキャリアは、ヌメロロジ間で直交すると考えられている。これらのサブキャリアが、１つのヌメロロジによる送信に用いられる場合、およびその場合に限り、他のヌメロロジを用いることにより、これらのサブキャリアが通す信号が干渉なく受信される。
【００７４】
例えば、第１のヌメロロジは、ＳＣＳが６０ｋＨｚでもよく、第２のヌメロロジは、ＳＣＳが１５ｋＨｚでもよい。そして、送信装置は、１５ｋＨｚサブキャリア間隔のヌメロロジのヌメロロジ間直交サブキャリアを変調することにより、ＯＦＤＭシンボルを送信してもよい。すなわち、＃０、＃４、＃８、…のサブキャリアであり、図２のサブキャリア番号にしたがう。受信機側では、６０ｋＨｚのＳＣＳを用いてシンボルを復号することにより、ヌメロロジ間干渉なく１５ｋＨｚのＳＣＳのサブキャリアで、正確な送信データを復元することができる。
【００７５】
ただし、１５ｋＨｚのＳＣＳのヌメロロジの、例えばサブキャリア＃１などの１つまたは複数の任意の非ヌメロロジ間直交サブキャリアが変調された場合、送信信号が６０ｋＨｚのＳＣＳで検出されたときに６０ｋＨｚのＳＣＳの全てのサブキャリアに対する干渉が生じることになる。上記の実施例では、１５ｋＨｚのＳＣＳのサブキャリア＃１に最も近い６０ｋＨｚのＳＣＳのサブキャリア＃０および＃１は、１５ｋＨｚのＳＣＳでのサブキャリア＃１により生じる非ヌメロロジ間干渉により大幅に影響を受けることになる。
【００７６】
ただし、本開示は、第１のヌメロロジのＳＣＳが６０ｋＨｚであって第２のヌメロロジのサブキャリア間隔が１５ｋＨｚであることに、限定されるものではない。他の混合ヌメロロジの場合、２つのＳＣＳが混合されている場合には、第１のヌメロロジは、より大きなＳＣＳのヌメロロジとして定義可能であり、あるいは、３つ以上のＳＣＳが混合されている場合には、最大のＳＣＳとして定義されうる。第１のヌメロロジのサブキャリア間隔が６０ｋＨｚである場合、第２のヌメロロジのサブキャリア間隔は、３０ｋＨｚであってもよい。さらに、ヌメロロジの混合に応じ、３０ｋＨｚおよび１５ｋＨｚのサブキャリア間隔のヌメロロジが、用いられてもよい。これに変えて、あるいはこれに加えて、第１のヌメロロジのサブキャリア間隔は６０ｋＨｚより大きい。例えば１２０ｋＨｚである。さらに、入れ子状になった１０ｋＨｚ、２０ｋＨｚ、４０ｋＨｚおよび８０ｋＨｚのサブキャリア間隔が用いられてもよい。
【００７７】
これにより、２つのヌメロロジを、第１のヌメロロジのサブキャリアが互いに直交するように、選択することができる。第２のヌメロロジのサブキャリアは、ヌメロロジ間直交サブキャリアと、非ヌメロロジ間直交サブキャリアとを備えている。図２に示すように、第２のヌメロロジの直交サブキャリアの各々は、第１のヌメロロジのサブキャリアに対して中心にアラインされている。換言すれば、第２のヌメロロジのヌメロロジ間直交サブキャリアの各々は、第１のヌメロロジのサブキャリアと配列されている。非直交サブキャリアは、第１のヌメロロジのいずれのサブキャリアに対しても中央にアラインされず、第１のヌメロロジの２つの隣接サブキャリア間に位置する。例えば、第１および第２のヌメロロジが、それぞれ６０ｋＨｚのＳＣＳおよび３０ｋＨｚのＳＣＳである場合、３０ｋＨｚのＳＣＳのサブキャリア＃０、＃２、＃４、…は、それぞれ、第１のヌメロロジのサブキャリア＃０、＃２、＃４、…に対して、中央にアラインされている。一方、通例、各ヌメロロジで、サブキャリアは互いに直交しているが、第２のヌメロロジのサブキャリア＃１、＃３、＃５は、第１のヌメロロジのいずれのサブキャリアに対しても、中央にアラインされていない。
【００７８】
中央にアラインされた２つのサブキャリアは、双方とも非ゼロパワーにより変調されていれば、互いに干渉しうる。例えば、図２において、３０ｋＨｚのＳＣＳのヌメロロジのサブキャリア＃２は、６０ｋＨｚのＳＣＳのヌメロロジのサブキャリア＃１に対し、双方が送信に用いられているのであれば、干渉することになる。ただし、３０ｋＨｚのＳＣＳのヌメロロジの上記のサブキャリア＃２は、６０ｋＨｚのＳＣＳのヌメロロジのどのサブキャリアとも干渉しない。したがって、本開示では、異なるヌメロロジからの中央アラインされたサブキャリアは、「ヌメロロジ間直交」サブキャリアと称し、ここで、配列されたサブキャリアの１つに非ゼロパワーが割り当てられている限り、サブキャリアが属しているヌメロロジに関係なくどの２つの非配列サブキャリア（ｎｏｎ−ｃｏｌｌｏｃａｔｅｄ  ｓｕｂｃａｒｒｉｅｒｓ）間にも干渉がないことが了解されている。
【００７９】
以下において、より小さなサブキャリア間隔のサブキャリアの、より大きなサブキャリア間隔のサブキャリアに対する干渉は、拡大することになる。例として、１５ｋＨｚおよび３０ｋＨｚのサブキャリア間隔のヌメロロジが、考慮される。
【００８０】
時間領域ＯＦＤＭ信号ｓ（ｔ），ｔ＝０〜Ｎｃ−１（ＣＰなし）は、以下の式により与えられる。
【数１】
2020515115.tif 000003
【００８１】
ここで、データシンボルは、Ｄ（ｋ）、ｋ＝０，１，…，Ｎｃ−１として表現され、ここで、Ｎｃは１５ｋＨｚのＳＣＳでのＦＦＴサイズであり、同時に、ＯＦＤＭシンボルを形成するためのサブキャリア数である。１５ｋＨｚのサブキャリアから３０ｋＨｚのサブキャリアに対する干渉を評価するために、ＣＰが加えられてから削除されることが想定されている。例えば、図７によれば、時間領域内の第１のＮｃ／２−１サンプルが用いられて、以下の式による（Ｎｃ／２−１）点ＦＦＴによる周波数領域信号へと変換される。
【数２】
2020515115.tif 000004
【００８２】
上記のｋは、１５ｋＨｚのＳＣＳに対応するサブキャリアの添字であり、ｉは、３０ｋＨｚのＳＣＳに対応するサブキャリアの添字である。式（２）は、以下の式のように記述可能である。
【数３】
2020515115.tif 000005
【００８３】
ここで、
【数４】
2020515115.tif 000006
【００８４】
Ｆ（ｋ，ｉ）についての例として、Ｎｃ＝１６についてのＦ（ｋ，０）、Ｆ（ｋ，１）およびＦ（ｋ，２）のプロットを、それぞれ、図１０Ａから図１０Ｃに示す。
【００８５】
理解できるように、１５ｋＨｚのＳＣＳのサブキャリアｋ＝２×ｉは、３０ｋＨｚのＳＣＳのいずれのサブキャリアとも干渉しない。したがって、これらのサブキャリアは、ヌメロロジ間直交サブキャリアとして定義される。一方、図面は、添字ｋ≠２×ｉの他のサブキャリアは、３０ｋＨｚのＳＣＳのサブキャリアに対する干渉を生じさせることを示す。
【００８６】
例示的実施形態では、第１のヌメロロジのサブキャリアは、互いに直交していてもよい。第２のヌメロロジのサブキャリアは、各々が第１のヌメロロジのサブキャリアに対して中央にアラインされたヌメロロジ間直交サブキャリアと、第１のヌメロロジのどのサブキャリアに対しても中央にアラインされていないとともに第１のヌメロロジの２つの隣接サブキャリア間に位置する非ヌメロロジ間直交サブキャリアとを、備えていてもよい。そして、回路４３０は、非ヌメロロジ間直交サブキャリアの少なくとも１つに、送信電力を割り当てずにおいてもよい。例えば、送信装置４１０の回路４３０は、受信装置により送受信される第１のヌメロロジの２つの隣接サブキャリア間の非ヌメロロジ間直交サブキャリアに、送信電力を割り当てなくともよい。これにより、ある周波数域内で、「ヌメロロジ間直交サブキャリア」以外の全てのサブキャリアが、ミュートされる。すなわち、ゼロパワー送信のために確保される。参照信号が送信されるＯＦＤＭシンボルについて、データのサブキャリアに対するマッピングは、スケジューリングされた受信装置に、認識されている。
【００８７】
例えば、チャネル状態情報（ＣＳＩ）報告に向けられた受信装置は、チャネル測定のためのヌメロロジ間直交サブキャリアに亘り、非ゼロパワー（ＮＺＰ）で構成可能である。さらに、ＣＳＩ報告に向けられた受信装置は、セル間干渉測定のためのヌメロロジ間直交サブキャリアに亘って分散した１つまたは複数のゼロパワーＣＳＩ参照信号で、構成可能である。
【００８８】
ある周波数域内で、ヌメロロジ間直交サブキャリア以外の全てのサブキャリアが確保されている。ＣＳＩ−ＲＳが送信されるＯＦＤＭシンボルについて、ＰＤＳＣＨのサブキャリアに対するマッピングが、スケジューリングされた端末に、知られている必要がある。
【００８９】
非ヌメロロジ間直交サブキャリアがミュートされた周波数域は、ヌメロロジ間干渉がどれだけ強く予測されているかに依存する。ヌメロロジ間の送信電力に大きな差がある場合、パワー送信がないリソースは、ヌメロロジ間干渉からのパワーが低い送信を保護するために、広い周波数域に亘って構成される必要がある。一方、セル間干渉が優勢で、ヌメロロジ間干渉の影響がより少ない場合、ゼロパワー送信は、より狭い周波数域内で設定可能である。
【００９０】
上述のように、ＺＰリソースエレメントの構成（例えば、リソースグリッド内の位置）は、基地局などのネットワークノードにより選択（決定）されて、受信機へシグナリングされてもよい。特に、シグナリングは、非明示的であっても明示的であってもよい。例えば、ネットワークは、共存ヌメロロジの端末構成へシグナリングしてもよい。シグナリングされたこれらの対応ヌメロロジに基づき、ＺＰリソースエレメントの特定の構成が、決定される。一方、同一のヌメロロジ混合シナリオについても、異なる構成を提供することが望ましい。この場合、明示的なシグナリングが、有利であってもよい。
【００９１】
例えば、複数の構成は、規格において事前に定義されていてもよい。特に、対応ヌメロロジの各々について、１つまたは複数の構成があってもよい。ヌメロロジ毎に複数の構成を定義することにより、混合ヌメロロジの様々な組み合わせに対応することが可能となる。
【００９２】
例示的な構成は、以下のように定義される。
【００９３】
構成１：１５ｋＨｚのＳＣＳのミュートサブキャリア＃１、＃３、＃５、…（添字偶数の全サブキャリア。図２に示すようなインデキシングを想定）について。この構成により、３０ｋＨｚのＳＣＳのヌメロロジでの効率的な混合が可能となる。
【００９４】
構成２：１５ｋＨｚのＳＣＳのミュートサブキャリア＃１、＃２、＃３、＃５、＃６、＃７、＃９、＃１０、＃１１、…（６０ｋＨｚのＳＣＳのヌメロロジでの混合の場合、全ての非ヌメロロジ間直交サブキャリアが適切である）。
【００９５】
非明示的指示は、共存ヌメロロジをシグナリングすることにより、提供されてもよく、１５ｋＨｚおよび３０ｋＨｚのヌメロロジがセル内で共存する場合には、構成１の導出を暗示し、１５ｋＨｚおよび６０ｋＨｚがセル内で共存する場合には、構成２の導出を暗示する。導出は、送信機および受信機により同様に実行されることもある。
【００９６】
ただし、本開示は、それに限定されるものではない。さらに別の構成が、ミュートされたサブキャリア数を特定することにより、定義されてもよい。
【００９７】
さらに、構成は、ＺＰ  ＲＥに加えて、あるいはこれに代えて、参照信号またはデータを通すリソースエレメントの位置を特定してもよい。ここで、参照信号は、チャネル推定に用いられる非ゼロＲＳ、およびセル間干渉推定に用いられるゼロパワーＲＳのいずれかであってもよい。
【００９８】
規格内の構成を提供する代わりに、複数の構成が、例えばシステム情報内で半静的にシグナリングされてもよい。システム情報は、セル内でブロードキャストされ、端末グループに対して提供されてもよい。ただし、構成の組を提供する個別ＵＥシグナリングもあってもよい。
【００９９】
規格にて規定された構成の組み合わせや、半静的にシグナリングされた構成があってもよい。
【０１００】
複数の構成が受信機に一旦認識されると、受信機は、複数の構成から１つを選択するように動的に構成されてもよい。例えば、レイヤ１（ｐｈｙｓｉｃａｌ  ｌａｙｅｒ［物理レイヤ］）グループブロードキャストチャネル、例えば、グループ共通の物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）が、ある周波数域内においてＵＥのグループに対して、ＺＰ  ＲＥ構成の１つを動的にアクティブ化するために、かつ／または特定のヌメロロジ方式のためのＺＰ  ＲＥの使用を非アクティブ化するために、使用可能である。３ＧＰＰでは、ＮＲが、スロットフォーマット関連情報を少なくとも通すグループ共通ＰＤＣＣＨに対応することが、合意されている。グループ共通ＰＤＣＣＨの詳細設計は、現在のところ自由なままである。なお、共通ということが、セル毎に共通であることを含意する必要はない。また、グループ共通ＰＤＣＣＨなる用語は、ＵＥのグループ宛の情報を通すチャネル（ＰＤＣＣＨあるいは個別に設計されたチャネルのいずれか）のことである。スロットフォーマット関連情報は、ＵＥが、ＤＬ、ＵＬ（Ｒｅｌ−１５のための）などであるスロット内の少なくともどのシンボルであるかを導出することが可能な情報として定義されている。ＵＥには、ある種のブラインド復号が、グループ共通ＰＤＣＣＨ（もしあれば）に関する情報に基づいてスキップされるかどうかを判別する可能性がある。
【０１０１】
ＰＤＣＣＨは、通例、ＬＴＥ／ＮＲ技術との関連で用いられる用語である。ただし、制御データを通す物理レイヤ（Ｌ１）チャネルのいずれかが、一般に用いられてもよい。
【０１０２】
ＵＥ固有シグナリングと比べて、グループブロードキャスティングによるシグナリングオーバーヘッドは、低減する。ＵＥのグループは、ある周波数域内のデータを受信するために同一のヌメロロジを用いた、複数のＵＥで形成されてもよい。異なるヌメロロジに対応したこのような複数のグループが形成されてもよく、Ｌ１グループブロードキャストチャネルは、ＺＰ  ＲＥの構成をグループのメンバ（受信装置）へシグナリングするために、効率よく用いられてもよい。ここで、「動的に」なる用語は、データスケジューリング間隔毎、例えばダウンリンク制御情報（ＤＣＩ：Ｄｏｗｎｌｉｎｋ  Ｃｏｎｔｒｏｌ  Ｉｎｆｏｒｍａｔｉｏｎ）毎に、構成が改良可能であることを意味する。ＤＣＩは、ＰＤＣＣＨを通ってもよい。ＬＴＥなどのシステムにおいて、各端末が、データがその端末に割り当てられているかどうか判別することにより、ＰＤＣＣＨは監視されてもよい。
【０１０３】
本開示は、グループベースシグナリングに限られているわけではない。それ以外に、ＵＥ固有シグナリングは、グループベース／ブロードキャストシグナリングに代えて、あるいはこれに加えて適用されうる。ある種のＣＳＩ報告ＵＥは、ＺＰ  ＲＥ構成を知る必要がある。この情報は、ＣＳＩ構成メッセージ内に含まれうる。ＰＤＳＣＨ受信ＵＥは、適切な復号のためにＺＰ  ＲＥを知る必要がありうる。ＤＣＩは、影響されたシンボルのＰＤＳＣＨ  ＲＥを示す。これにより、追加のＺＰ  ＲＥを柔軟に構成しやすくなる。
【０１０４】
上記内容は、構成の組の半静的シグナリングの組み合わせと、上述の組から特定の構成を動的に選択することである。ただし、代替例として、規格において構成の組が定義されてもよく、定義された組み合わせからの選択は、例えば、個別シグナリングを用いて半静的になされてもよい（特定の端末に対して指定されるのみ）。
【０１０５】
図１１および図１２に、第２のヌメロロジの非ヌメロロジ間直交サブキャリアに送信電力を割り当てないでおく例を示す。これらの図において、パワーが割り当てられていないリソースエレメント（「ゼロパワー」／ＺＰ  ＲＥ）が、破線ボックスにより図示されている。両図において、第１のヌメロロジは、サブキャリア間隔が３０ｋＨｚであり、第２のヌメロロジは、サブキャリア間隔が１５ｋＨｚである。理解されうるように、第２のヌメロロジのサブキャリア上のリソースエレメントには、送信電力は割り当てられていない（図１１に図示するスロットのシンボル＃３において、そして、図１２に図示するスロットのシンボル＃５、＃６において）。特に、１５ｋＨｚサブキャリア間隔の第２のヌメロロジの非直交サブキャリア（サブキャリア＃１、＃３、＃５、…）のいずれに対しても、送信電力は割り当てられていない。
【０１０６】
図１１および図１２では、データは、ＰＤＳＣＨ上で送信され、参照信号は、ＣＳＩ−ＲＳ（チャネル状態情報参照信号）に対応することになる。両図において、データおよび参照信号は、第１のヌメロロジおよび第２のヌメロロジの異なるヌメロロジのサブキャリア上にマッピングされる。
【０１０７】
図１１では、データは、サブキャリア間隔が１５ｋＨｚのヌメロロジに対応するリソースエレメントに、割り当てられる。参照信号は、サブキャリア間隔が３０ｋＨｚのヌメロロジに対応するリソースエレメントに、割り当てられる。一方、図１２では、データは、サブキャリア間隔が３０ｋＨｚのヌメロロジに対応するリソースエレメントに割り当てられ、参照信号は、サブキャリア間隔が１５ｋＨｚのヌメロロジのリソースエレメントに割り当てられる。
【０１０８】
例えば、図４に示す送信装置４１０の回路４３０は、参照信号を、第１のヌメロロジのサブキャリアに、かつ／または第２のヌメロロジのヌメロロジ間直交サブキャリアに、割り当ててもよい。受信装置４６０の側では、参照信号は、受信機４７０により受信されてもよく、回路４８０は、参照信号に基づいてチャネル測定を行ってもよい。
【０１０９】
図１１では、参照信号が割り当てられたシンボル＃３にて、サブキャリア間隔が１５ｋＨｚのヌメロロジ（第２のヌメロロジ）における非直交サブキャリア、すなわち、サブキャリア＃１、＃３、＃５、…、がミュートされている。すなわち、これらのサブキャリアには送信電力が割り当てられていない。これらのサブキャリアは、データが送信されるＰＤＳＣＨなどのいずれの物理チャネルによっても利用されていない。ただし、物理チャネルは、レートがマッチング可能である。例えば、パワーが割り当てられていないこれらのリソースエレメントの周囲にパディングまたはパンクチャリングを施す。換言すれば、リソースにマッピングされるデータの長さは、ゼロパワーリソースエレメントおよび参照信号リソースの後に残るリソースエレメント数に合うように適応されてもよい。
【０１１０】
一方、送信装置は、サブキャリア間隔が３０ｋＨｚのヌメロロジ（第１のヌメロロジ）の任意のサブキャリアを選択して、参照信号を送信してもよい。これは、送信電力が割り当てられていないサブキャリアが、第１のヌメロロジのどのサブキャリアにも対応していないためである。例えば、図１１では、第１のヌメロロジのサブキャリア＃２およびサブキャリア＃７が、参照信号を送信するために選択されている。この場合、送信装置は、第１のヌメロロジのサブキャリア＃２および＃７に対して中央にアラインされ、ヌメロロジ間で直交する、第２のヌメロロジのサブキャリア＃４および＃１４に、データがマッピングされているかどうか、選択してもよい。重ね合わせが用いられない場合には、ヌメロロジ間干渉が生じない。これは、ゼロパワーリソースエレメントの構成によるものであり、換言すれば、非ヌメロロジ間直交サブキャリアに割り当てられていない送信電力の位置による。ある種の応用シナリオでは、データとＣＳＩ−ＲＳとの重ね合わせは有益となりうる。これは、リソースの利用が向上するためである。ＺＰ  ＲＥが構成されると、ヌメロロジ間干渉は、重ね合わせられたＲＥに亘ってのみ生じることになる。したがって、干渉解消能力を備えた受信機は、低減した干渉を取り扱うことができる。
【０１１１】
重ね合わせにより、相互に中央アラインされて２つの異なるヌメロロジに属する２つのサブキャリアに送信電力が割り当てられるシナリオが、参照される。
【０１１２】
図１１に示すように、データは、一方のヌメロロジのサブキャリア上にマッピングされ、参照信号は、他方のヌメロロジのサブキャリア上にマッピングされる。ただし、データに加えて、回路４３０は、ＣＳＩ−ＲＳなどの参照信号を、データがマッピングされたサブキャリア上へと送る。ＣＳＩ−ＲＳを第１および第２のヌメロロジのサブキャリアにマッピングすることにより、双方のヌメロロジに関して、チャネル測定が可能となる。
【０１１３】
図１２に示す例では、データは、サブキャリア間隔が３０ｋＨｚのヌメロロジのリソースに割り当てられ、参照信号は、サブキャリア間隔が１５ｋＨｚのヌメロロジのリソースに送信される。図示のように、参照信号は、図示のタイムスロットのシンボル＃５および＃６が配列されたリソースエレメントに割り当てられる。シンボルのある参照信号は、図示のスロットの２つのシンボルに対応している。これは、シンボルの付番が、データ転送に関連づけられた第１のヌメロロジに対応し、そのシンボル長が、第２のヌメロロジのシンボル長と異なっているためである。この例では、参照信号は、第２のヌメロロジのサブキャリア＃０、＃２、＃１２および＃１４に割り当てられる。ただし、これらは、＃４、＃６または＃１６のような第２のヌメロロジのヌメロロジ間直交サブキャリアに割り当てられうるが、これは、非ヌメロロジ間直交サブキャリア、すなわち、第２のヌメロロジのサブキャリア＃１、＃３、＃５、…、＃１３、＃１５、…、には割り当てられていない場合のことである。これらの非ヌメロロジ間直交サブキャリアの全てが、第２のヌメロロジの第２のサブキャリアの全てに対応し、図１１に示す例にあるように、ゼロパワーサブキャリアとして構成されている。このため、本例の非ゼロパワー参照信号における任意の物理チャネルまたは信号は、非ヌメロロジ間直交サブキャリアに対応するゼロパワーリソースエレメントを避ける必要がある。ただし、送信装置は、物理チャネル上のデータ送信のために、サブキャリア間隔が３０ｋＨｚの第１のヌメロロジの任意のサブキャリアを選択してもよい。データが参照信号と、特に非ゼロパワー参照信号内で重ね合わせられている限り、図１１の例の場合と同様、ヌメロロジ間干渉は生じない。
【０１１４】
図１１および図１２に関連した上記説明では、非ヌメロロジ間直交サブキャリアに送信電力が割り当てられていない構成の例が、提供されている。ゼロパワーリソースエレメントがこうして構成されていると、ヌメロロジ間直交サブキャリアは、ゼロパワー参照信号および非ゼロパワー参照信号を含むデータおよび参照信号に亘って、割当可能である。このような構成により、チャネル推定、干渉測定、およびデータ転送が促進される。
【０１１５】
特に、非ゼロパワー参照信号に依存するチャネル推定では、基本となる物理チャネルによる干渉がなくなる。すなわち、非ゼロパワーリソースエレメントが割り当てられたヌメロロジとは異なるヌメロロジを用いた物理チャネル上で、データが送信される。また、送信電力を非ヌメロロジ間直交サブキャリアに割り当てないことにより、ヌメロロジ間干渉が充分に低減している場合、干渉測定は、ヌメロロジ間干渉なしで、セル間干渉を反映することができる。さらに、データ送信は、ヌメロロジ間干渉から保護される。
【０１１６】
具体的には、ヌメロロジ間干渉を避けることにより、同じ周波数部分を、異なる目的で使用されるデータと参照信号とで共有しやすくなる。このことを、図１３に示す。図において、物理チャネル（本例では、「ＰＤＳＣＨ」を付す）は、サブキャリア間隔が３０ｋＨｚの第１のヌメロロジのサブキャリアに割り当てられている。サブキャリア間隔が１５ｋＨｚの第２のヌメロロジの非ヌメロロジ間直交サブキャリア上では、上述のように送信電力が割り当てられていない。さらに、異なる参照信号、すなわち、非ゼロパワー参照信号（「１」を付す）およびゼロパワー参照信号（「２」を付す）が、第２のヌメロロジにおけるあるヌメロロジ間直交サブキャリアに割り当てられている。上述のように、例えば、ＣＳＩ報告に向けられた受信装置は、チャネル測定のためのヌメロロジ間直交サブキャリアに亘り、非ゼロパワー（ＮＺＰ）で構成可能である。そのうえ、ＣＳＩ報告に向けられた受信装置は、セル間干渉測定のためのヌメロロジ間直交サブキャリアに亘って分散した１つまたは複数のゼロパワーＣＳＩ参照信号で、構成可能である。
【０１１７】
チャネル状態情報参照信号が割り当てられたサブキャリアの数は、参照信号を複数のＯＦＤＭシンボルに亘って拡げることにより、低減可能である。これにより、例えば、ＵＲＬＬＣサービスの低遅延要件を満たすため、データ送信用に、より多くのサブキャリアが割当可能となる。例えば、図１４に、第１のヌメロロジのサブキャリア間隔が６０ｋＨｚであるとともに第２のヌメロロジのサブキャリア間隔が１５ｋＨｚである構成を示す。データは、第１のヌメロロジのサブキャリアに割り当てられ、非ゼロパワー参照信号およびゼロパワー参照信号の双方を含む参照信号は、第２のヌメロロジの４つ毎のサブキャリアに対応した第２のヌメロロジのヌメロロジ間直交サブキャリアに割り当てられる。参照信号は、第２のヌメロロジにおけるあるシンボルのリソースエレメントに、割り当てられる。ヌメロロジ間直交サブキャリアの後続の３番目毎に、非ゼロパワー参照信号が割り当てられ、ヌメロロジ間直交サブキャリアの後続の３番目毎に、ゼロパワー参照信号が割り当てられる。このため、参照信号は、３つ毎のヌメロロジ間直交サブキャリアには割り当てられていない。このため、第２のヌメロロジのサブキャリア上の参照信号と、第１のヌメロロジのサブキャリア上のデータとの重ね合わせが避けられるなら、第１のヌメロロジの３番目毎に対してのみデータが割当可能となる。
【０１１８】
図１５に第１および第２のヌメロロジが、図１４に示すような同じサブキャリア間隔になった構成を示す。ただし、送信装置の回路４３０は、参照信号を、時間領域における後続のシンボルに割り当てる。特に、参照信号は、第２のヌメロロジにおける２つの後続のＯＦＤＭシンボルに亘る。この例では、第２のヌメロロジにおける２つの後続のＯＦＤＭシンボルの期間は、第１のヌメロロジにおける８つの後続のＯＦＤＭシンボルの期間に対応している。非ゼロパワー参照信号は、第２のヌメロロジにおける２つのＯＦＤＭシンボルのうちの最初のもの、すなわち先に送信されるＯＦＤＭシンボルに対して、割り当てられる。ゼロパワー参照信号は、第２のヌメロロジにおける２つのＯＦＤＭシンボルのうちの２番目のリソースエレメントに対して、割り当てられる。ただし、同一のサブキャリアが、非ゼロパワー参照信号およびゼロパワー参照信号の割当に利用可能である。図１４に示す構成とは異なり、参照信号は、第２のヌメロロジの３番目毎のサブキャリアに対してのみ割り当てられる。このため、データおよび参照信号の重ね合わせが望ましくない場合にも、第１のヌメロロジにおける、３つのサブキャリアのうちの１つというのではなく、３つのサブキャリアのうちの２つが、データの位置として用いられうる。
【０１１９】
上記の例では、共存ヌメロロジ上のデータのマッピングの柔軟性を高めるために、参照信号が、２つのシンボルのリソースエレメント上に割り当てられている。ただし、本開示は、それに限定されるものではない。柔軟性は、参照信号を、時間領域における３つ以上のシンボル（ＯＦＤＭシンボル／ＳＣ−ＦＤＭＡ）上にマッピングすることにより、さらに向上する。図１４に示す参照信号がマッピングされた２つのシンボルは、近接している。ただし、一般に、参照信号は、必ずしも近接しているわけではない複数のシンボル上にマッピングされてもよい。
【０１２０】
図１３から図１５に示すように、ゼロパワーＣＳＩ参照信号は、ヌメロロジ間直交サブキャリアおよび非ヌメロロジ間直交サブキャリアの双方を有する第２のヌメロロジのヌメロロジ間直交サブキャリア内に、構成されている。これにより、セル間干渉のみを測定しやすくなる。ただし、ゼロパワーＣＳＩは、ゼロパワーリソースエレメント内に構成されることも可能である。これにより、セル間干渉に加えて、ヌメロロジ間干渉が促進される。ゼロパワーＣＳＩ参照信号が、非ヌメロロジ間直交サブキャリア内に構成された、ヌメロロジ間直交サブキャリアおよびゼロパワーリソースエレメントの双方に、割当可能であるため、干渉測定リソース（ＩＭＲ）の構成は、ゼロパワーリソースエレメントの構成から独立している。これに対し、ＬＴＥリリース１０および以後のリリースのＬＴＥでは、ＩＭＲは、ゼロパワーＣＳＩ参照信号の部分集合である。本開示は、干渉測定リソースの構成に、さらに柔軟性を提供する。
【０１２１】
これに代えて、あるいは追加的に、非ゼロパワーＣＳＩ参照信号は、干渉測定に用いられうる。セル間干渉を測定するため、非ゼロパワーＣＳＩ参照信号は、第２のヌメロロジのヌメロロジ間直交サブキャリア内に構成可能である。干渉は、参照信号のパワーが受信信号から差し引かれた後の残余として測定される。
【０１２２】
データおよび参照信号用のヌメロロジがＲＥレベルで混合された場合、提案される方式はヌメロロジ間直交性を用いるものであり、ヌメロロジ間干渉なく、あるいはヌメロロジ間干渉を低減して、チャネル推定、データ送信、およびセル間干渉測定を可能にする。
【０１２３】
ヌメロロジ間のゼロパワー
選択肢として、ヌメロロジ間直交サブキャリアに依存したゼロパワーリソースエレメントの構成は、ヌメロロジ間干渉を完全に解消することができる。ただし、このようにヌメロロジ間干渉を効率的に解消することの対価は、サブキャリアが大量には、データおよび参照信号の送受信に利用することができないということである。
【０１２４】
ある種の場合、ヌメロロジ間干渉は、完全に避けるよりも低減する方が、効率的となりうる。このように、上述のゼロパワーＲＥ割当は、非ヌメロロジ間直交サブキャリアのいくつかにのみ適用されうる。
【０１２５】
このように、回路は、第１のヌメロロジのサブキャリアと第２のヌメロロジのサブキャリアとの間に位置する少なくとも１つのサブキャリアに、送信電力を割り当ててもよい。
【０１２６】
例示的実施形態では、送信装置４１０の回路４３０は、データおよび／または参照信号を、第１のヌメロロジのサブキャリアに割り当ててもよく、回路４３０は、データおよび／または参照信号を、第２のヌメロロジのサブキャリアに割り当ててもよい。また、回路４３０は、第１のヌメロロジのサブキャリアと第２のヌメロロジのサブキャリアとの間のサブキャリアに、送信電力を割り当てなくてもよい。送信電力が割り当てられていないサブキャリアは、第１のヌメロロジのサブキャリアまたは第２のヌメロロジのサブキャリアであってもよい。送信電力が割り当てられていないサブキャリアは、ヌメロロジ間直交サブキャリアおよび非ヌメロロジ間直交サブキャリアを有する第２のヌメロロジのサブキャリアである場合、データおよび参照信号が割り当てられた第１のヌメロロジのサブキャリアおよび第２のヌメロロジのサブキャリアとの間のヌメロロジ間直交サブキャリアまたは非ヌメロロジ間直交サブキャリアに対して、送信電力が割り当てられない。
【０１２７】
換言すれば、例示的実施形態によるゼロパワーリソースエレメントの構成は、全ての非ヌメロロジ間直交サブキャリアに送信電力が割り当てられないという法則にしたがうことはない。例えば、異なるヌメロロジがＲＥレベルで周波数多重化される場合、周波数について隣接した少なくとも２つのサブキャリアはミュートされてもよい。
【０１２８】
本開示によるデータ、参照信号、およびゼロパワーリソースエレメントの構成の例を、図１６に示す。この図は、第１のヌメロロジと第２のヌメロロジとで共有された周波数部分を示す。参照信号は、より小さな１５ｋＨｚのサブキャリア間隔を有する第２のヌメロロジのサブキャリアに割り当てられる。データは、より大きなサブキャリア間隔、すなわち３０ｋＨｚの第１のヌメロロジのサブキャリアに割り当てられる。参照信号は、第２のヌメロロジのサブキャリア＃０および＃１に割り当てられ、データは、サブキャリア＃３から＃６に割り当てられる。ゼロパワーリソースエレメントは、第２のヌメロロジのサブキャリア＃２および＃３に割り当てられる。換言すれば、データが送受信される第１のヌメロロジのサブキャリアと、参照信号が送受信される第２のヌメロロジのサブキャリアとの間にある、第２のヌメロロジのサブキャリア＃２および＃３には、送信電力が割り当てられない。
【０１２９】
第２のヌメロロジのサブキャリア＃０から＃３および第１のヌメロロジのサブキャリア＃２から＃５について上述した、参照信号、データおよびリソースエレメントと同じ構成が、第２のヌメロロジのサブキャリア＃１２から＃１５および第１のヌメロロジのサブキャリア＃８から＃１１上に繰り返される。図１６に示す構成では、第２のヌメロロジのサブキャリア＃１２に割り当てられた参照信号、および第１のヌメロロジのサブキャリア＃５に割り当てられたデータは、直接的に隣接したサブキャリア上で送信される。これは、参照信号およびデータを伴う異なるヌメロロジのサブキャリアが、ゼロパワーリソースエレメントの介在なしに生じていることを意味する。
【０１３０】
ただし、本開示は、図１６に示す構成に限定されるものではない。その代わりに、ゼロパワーリソースエレメントは、両側に隣接した参照信号の発生に近接して、第２のヌメロロジを用いて送信される参照信号を、第１のヌメロロジを用いて送信されるデータから分離してもよい。また、データは、第２のヌメロロジを用いて送信されてもよく、参照信号は、第１のヌメロロジを用いて送信されてもよい。
【０１３１】
例示的実施形態によれば、第２のヌメロロジの非ヌメロロジ間直交サブキャリアの全てが、ミュートされる必要があるわけではない。例えば、図１６に見られるように、非ゼロパワー参照信号は、第２のヌメロロジのサブキャリア＃１３とともに、サブキャリア＃１に割り当てられる。ただし、１つまたは複数の非ヌメロロジ間直交サブキャリアが、送信電力を割り当てないように確保された場合、ヌメロロジ間干渉が低減する。送信電力を非ヌメロロジ間直交サブキャリアに割り当てないのではなく、参照信号および／またはデータが割り当てられた非ヌメロロジ間直交サブキャリアがある場合、ヌメロロジ間干渉の低減が達成されうる。
【０１３２】
さらに、データおよび／または参照信号をある非ヌメロロジ間直交サブキャリアに割当可能である場合、送信装置４１０は、データおよび／またはリソースエレメントを、第１および第２のヌメロロジのサブキャリアに対して、より柔軟に割り当てられうる。例えば、より多くのサブキャリアが、データおよび／または参照信号の送信に利用可能でありうる。このように、ヌメロロジ間干渉の低減と、データおよび参照信号の送信に利用可能なリソースとのトレードオフが、達成されてもよい。
【０１３３】
特に、送信装置４１０が動的リソース割当可能である場合、いずれ変更されうる現行の要件に依存する割当を部分的に可能とするか、あるいは完全に許容するかを選択してもよい。
【０１３４】
図１６に示す参照信号は、非ゼロパワーＣＳＩ参照信号であるが、本開示はこのような構成に限定されるものではない。例えば、ゼロパワー参照信号は、ヌメロロジ間干渉測定および他の測定に利用可能であり、非ゼロパワーＣＳＩ参照信号の代わりに、あるいはこれと組み合わされて利用されうる。
【０１３５】
＜セル間調整＞
これまで述べた装置および方法により、上述の実施形態のいずれかの送信装置４１０が用いられていれば、１つのセル内のヌメロロジ干渉を軽減することができる。ただし、隣接セルからのヌメロロジ間干渉は、送信装置４１０のセルにより、セル間干渉と同様に取り扱われる。
【０１３６】
セル間干渉がなければ、このことは、データチャネル上の実際の干渉に反映される。これは、データチャネル用の異なるヌメロロジへのリソース割当が、各セル内で独立しているためである。対応する送信装置（基地局）がリソースを割り当てるセル内で、ヌメロロジ間干渉が充分に低減可能であっても、隣接セルからのヌメロロジ間干渉は、セル間干渉に影響することになる。
【０１３７】
ただし、セル間調整がなされると、スケジューラは、隣接セルにおけるデータチャネルのためのリソース割当を調整することができ、同一の周波数部分が、複数のセルに亘って同一のヌメロロジのために用いられて、ヌメロロジ干渉になることが避けられる。
【０１３８】
これにより、ゼロパワーリソースエレメントの構成は、隣接セル間で調整されてもよい。隣接セルは、ある帯域幅内の対応するヌメロロジについて、およびアクティブ化されたゼロパワーリソースエレメントのパターンについての情報を、共有する必要がある。
【０１３９】
例示的実施形態では、送信装置４１０は、セルラー通信システムにおける第１のセルとしてはたらく。送信装置４１０の回路は、第２のセル（例えば隣接セル）が対応しているとともに少なくとも１つのヌメロロジにおける送信電力が割り当てられないリソースエレメントの構成を示す少なくとも１つのヌメロロジを示す第２のセル構成情報を、受信する。例えば、第２のセル構成情報は、第２のセルとしてはたらく第２の送信装置が参照信号および／またはデータをマッピングする、第３および第４のヌメロロジのサブキャリアを、示してもよい。第２のセル構成情報は、送信電力が割り当てられていない第３および／または第４のヌメロロジのサブキャリアを、さらに示してもよい。
【０１４０】
さらに、送信装置４１０の回路４３０は、受信した第２のセル構成情報に対応させて、少なくとも１つのサブキャリアに送信電力を割り当てないように適応させてもよい。
【０１４１】
隣接セルが、セルを取り扱う送信装置４１０とは異なる送信装置により取り扱われる場合、２つの送信装置は、インターフェースにより直接接続されてもよい。このインターフェースは、例えば、無線インターフェースまたは有線インターフェースであってもよい。そして、調整情報は、送信装置間のインターフェースにより転送されうる。
【０１４２】
これに代えて、異なるセルを取り扱う送信装置は、１つのインターフェースにより互いに接続されるのではなく、コントローラへのインターフェースをそれぞれ有していてもよい。
【０１４３】
本開示は、ソフトウエア、ハードウェア、またはハードウェアと協働するソフトウエアにより実現可能である。上述の各実施形態の説明に用いられる各機能ブロックは、集積回路などのＬＳＩにより部分的または完全に実現可能であり、各実施形態において説明した各処理は、同ＬＳＩまたはＬＳＩの組み合わせにより、部分的または完全に制御可能であってもよい。ＬＳＩは、チップとして個別に形成されてもよく、単一のチップが、複数の機能ブロックのいくつかまたは全てを含むように形成されてもよい。ＬＳＩは、データ入力およびそこに結合した出力を含んでもよい。ここでのＬＳＩは、集積度に応じてＩＣ、システムＬＳＩ、スーパーＬＳＩ、ウルトラＬＳＩと称してもよい。ただし、集積回路を実装する技術は、ＬＳＩに限らず、専用回路、汎用プロセッサまたは専用プロセッサを用いることにより、実現されてもよい。さらに、ＬＳＩ製造後にプログラム可能なＦＰＧＡ（フィールドプログラマブルゲートアレイ）、またはＬＳＩ内に配置された回路セルの接続および設定が再構成可能なリコンフィギュラブル・プロセッサが、用いられてもよい。本開示は、デジタル処理またはアナログ処理として実現可能である。将来の集積回路技術が、半導体技術の進歩または他の代替技術の結果として、ＬＳＩを置き換えた場合、機能ブロックは、将来の集積回路技術を用いて統合されうる。バイオテクノロジも、適用可能である。
【０１４４】
ある一般的な態様によれば、送信装置は、動作時に、データおよび／または参照信号を、通信システムのリソース上にマッピングする回路であって、リソースは、第１のヌメロロジのサブキャリアと第２のヌメロロジのサブキャリアを含み、第１のヌメロロジと第２のヌメロロジとは、少なくともサブキャリア間隔について異なっており、第１および第２のヌメロロジのサブキャリアが、サブキャリア単位で周波数多重化される、回路を備えている。送信装置は、動作時に、マッピングされた参照信号および／またはデータを送信する送信機を、さらに備え、回路は、動作時に、第１のヌメロロジのサブキャリアと第２のヌメロロジのサブキャリアとの間に位置する少なくとも１つのサブキャリアに、送信電力を割り当てないでおく。
【０１４５】
例えば、回路は、動作時に、データを、第１および第２のヌメロロジの一方のサブキャリアにマッピングし、参照信号を、第１および第２のヌメロロジの他方にマッピングする。
【０１４６】
ある種の実施形態では、第１のヌメロロジの複数のサブキャリアは、互いに直交している。さらに、第２のヌメロロジのサブキャリアは、（ｉ）各々が第１のヌメロロジのサブキャリアに対して中央にアラインされたヌメロロジ間直交サブキャリアと、（ｉｉ）第１のヌメロロジのどのサブキャリアに対しても中央にアラインされていないとともに第１のヌメロロジの２つの隣接サブキャリア間に位置する非ヌメロロジ間直交サブキャリアとを、備えている。さらに、回路は、動作時に、非ヌメロロジ間直交サブキャリアの少なくとも１つに、送信電力を割り当てない。
【０１４７】
ある種の実施形態によれば、回路は、動作時に、参照信号を、第１のヌメロロジのサブキャリアに、かつ／または第２のヌメロロジのヌメロロジ間直交サブキャリアに割り当てる。
【０１４８】
ある種の実施形態によれば、回路は、動作時に、第１のヌメロロジの２つの隣接サブキャリア間の非ヌメロロジ間直交サブキャリアのいずれにも、送信電力を割り当てない。
【０１４９】
例えば、リソースは時間領域内のシンボルを含み、回路は、動作時に、参照信号を、２つの後続のシンボルに割り当てる。参照信号は、ゼロパワー参照信号であってもよい。
【０１５０】
ある種の実施形態では、回路は、動作時に、非ヌメロロジ間直交サブキャリアの少なくとも１つに、送信電力を割り当てる。
【０１５１】
ある種の実施形態では、回路は、ヌメロロジにおける最も広いサブキャリア間隔の２つの隣接サブキャリア間に位置するどのサブキャリアにも、送信電力を割り当てない。
【０１５２】
ある種の実施形態では、通信システムは、セルラーシステムであり、送信装置は、第１のセルとなり、回路は、動作時に、第２のセルが対応しており、かつ／または少なくとも１つのヌメロロジにおける送信電力が割り当てられないリソースエレメントの構成を示す少なくとも１つのヌメロロジを示す第２のセル構成情報を、受信する。
【０１５３】
例えば、動作中の回路は、受信した第２のセル構成情報に対応させて、少なくとも１つのサブキャリアに送信電力を割り当てない前記割り当てを適応させる。
【０１５４】
ある種の実施形態では、回路は、動作時に、送信電力が割り当てられていない少なくとも１つのサブキャリアを示す制御情報を生成し、送信機は、動作時に、生成された制御情報を送信する。
【０１５５】
例えば、制御情報は、送信電力が割り当てられていないか、参照信号が割り当てられているか、非ゼロパワーが割り当てられうる、少なくとも１つのサブキャリアを特定する。
【０１５６】
送信機は、制御情報を、特定のシステム情報において、半静的シグナリングにより送信されてもよい。
【０１５７】
例えば、制御情報は、ヌメロロジのための特定のゼロパワー構成のアクティブ化または非アクティブ化を示す動的シグナリングによって、送信される。
【０１５８】
ある一般的な態様によれば、動作時に、通信システムのリソースにおけるデータおよび／または参照信号を受信する受信機と、動作時に、データおよび／または参照信号を、第１のヌメロロジのサブキャリアと第２のヌメロロジのサブキャリアとを含むリソースからデマッピングする回路とを備え、第１のヌメロロジと第２のヌメロロジとは、少なくともサブキャリア間隔について異なっており、第１および第２のヌメロロジのサブキャリアは、サブキャリア単位で周波数多重化され、受信機は、動作時に、制御情報を受信して、どのサブキャリアに送信電力が割り当てられていないかを導出し、第１のヌメロロジのサブキャリアと第２のヌメロロジのサブキャリアとの間に位置する少なくとも１つのサブキャリアに送信電力が割り当てられない、受信装置が提供される。
【０１５９】
ある種の実施形態によれば、第１のヌメロロジの複数のサブキャリアは、互いに直交し、第２のヌメロロジのサブキャリアは、各々が第１のヌメロロジのサブキャリアに対して中央にアラインされたヌメロロジ間直交サブキャリアと、第１のヌメロロジのどのサブキャリアに対しても中央にアラインされていないとともに第１のヌメロロジの２つの隣接サブキャリア間に位置する非ヌメロロジ間直交サブキャリアとを、備えている。さらに、送信装置は、非ヌメロロジ間直交サブキャリアの少なくとも１つに、送信電力を割り当てない。
【０１６０】
ある種の実施形態によれば、参照信号は、第１のヌメロロジのサブキャリアに、かつ／または第２のヌメロロジのヌメロロジ間直交サブキャリアに割り当てられ、回路は、動作時に、参照信号に基づき、チャネル測定を行う。
【０１６１】
ある一般的な態様は、送信装置により実行される送信方法であって、データおよび／または参照信号を、通信システムのリソース上にマッピングするステップであって、リソースは、第１のヌメロロジのサブキャリアと第２のヌメロロジのサブキャリアとを含み、第１のヌメロロジと第２のヌメロロジとは、少なくともサブキャリア間隔について異なっており、第１および第２のヌメロロジのサブキャリアは、サブキャリア単位で周波数多重化される、ステップと、マッピングされた参照信号および／またはデータを送信するステップとを含み、データおよび／または参照信号をリソース上に送信するステップでは、第１のヌメロロジのサブキャリアと第２のヌメロロジのサブキャリアとの間に位置する少なくとも１つのサブキャリアに、送信電力が割り当てられない、送信方法に関する。
【０１６２】
ある一般的な態様は、受信装置により実行される受信方法であって、通信システムのリソースにおけるデータおよび／または参照信号を受信するステップと、データおよび／または参照信号を、第１のヌメロロジのサブキャリアと第２のヌメロロジのサブキャリアとを含むリソースからデマッピングするステップとを含み、第１のヌメロロジと第２のヌメロロジとは、少なくともサブキャリア間隔について異なっており、第１および第２のヌメロロジのサブキャリアは、サブキャリア単位で周波数多重化され、データおよび／または制御情報を受信するステップでは、制御情報を受信して、どのサブキャリアに送信電力が割り当てられていないかを導出し、第１のヌメロロジのサブキャリアと第２のヌメロロジのサブキャリアとの間に位置する少なくとも１つのサブキャリアに送信電力が割り当てられない、受信方法に関する。
【図１】
2020515115.tif 000007
【図２】
2020515115.tif 000008
【図３Ａ】
2020515115.tif 000009
【図３Ｂ】
2020515115.tif 000010
【図４】
2020515115.tif 000011
【図５】
2020515115.tif 000012
【図６】
2020515115.tif 000013
【図７】
2020515115.tif 000014
【図８】
2020515115.tif 000015
【図９】
2020515115.tif 000016
【図１０】
2020515115.tif 000017
【図１１】
2020515115.tif 000018
【図１２】
2020515115.tif 000019
【図１３】
2020515115.tif 000020
【図１４】
2020515115.tif 000021
【図１５】
2020515115.tif 000022
【図１６】
2020515115.tif 000023
【図１７】
2020515115.tif 000024
【国際調査報告】
2020515115.tif 000025
2020515115.tif 000026